(57)【要約】  本開示の様々な態様は全般に、ワイヤレス通信に関する。いくつかの態様では、ユーザ機器(UE)は、UEと関連付けられる複数のダウンリンク割当てインデックス(DAI)グループに対応する複数の総DAIを含むアップリンクグラントを受信し、複数のDAIグループの各々がキャリアアグリゲーションのためにUEによって使用されるコンポーネントキャリアの異なるセットと関連付けられ、アップリンクグラントに含まれる複数の総DAIに少なくとも一部基づいて、複数のDAIグループのための(ACK/NACK)フィードバックを送信し得る。いくつかの態様では、基地局は、UEと関連付けられる複数のDAIグループに対応する複数の総DAIを決定し、複数のDAIグループの各々がキャリアアグリゲーションのためにUEによって使用されるコンポーネントキャリアの異なるセットと関連付けられ、アップリンクグラントにおいて複数の総DAIをUEに送信し得る。多数の他の態様が提供される。
2021505004.tif 000002
【特許請求の範囲】
【請求項１】
基地局によって実行されるワイヤレス通信の方法であって、
ユーザ機器(UE)と関連付けられる複数のダウンリンク割当てインデックス(DAI)グループに対応する複数の総DAIを決定するステップであって、前記複数のDAIグループの各々が、キャリアアグリゲーションのために前記UEによって使用されるコンポーネントキャリアの異なるセットと関連付けられる、ステップと、
アップリンクグラントにおいて前記複数の総DAIを前記UEに送信するステップとを備える、方法。
【請求項２】
前記複数の総DAIが、前記アップリンクグラントの異なるフィールドにおいて示される、請求項1に記載の方法。
【請求項３】
前記アップリンクグラントが、アップリンク制御情報がアップリンクデータチャネルを介してピギーバックされる該アップリンクデータチャネルに対するものである、請求項1に記載の方法。
【請求項４】
前記複数の総DAIが、前記UEによって使用されるコンポーネントキャリアの異なるセットに対して、トランスポートブロック当たり異なる数のコードブロックグループを前記UEが使用するという決定に少なくとも一部基づいて送信される、請求項1に記載の方法。
【請求項５】
前記複数の総DAIが、前記UEによって使用されるコンポーネントキャリアの第1のセットのための第1の総DAIと、前記UEによって使用されるコンポーネントキャリアの第2のセットのための第2の総DAIとを含む、請求項1に記載の方法。
【請求項６】
コンポーネントキャリアの前記第1のセットおよびコンポーネントキャリアの前記第2のセットが、トランスポートブロック当たり異なる数のコードブロックグループを使用する、請求項5に記載の方法。
【請求項７】
ユーザ機器(UE)によって実行されるワイヤレス通信の方法であって、
前記UEと関連付けられる複数のダウンリンク割当てインデックス(DAI)グループに対応する複数の総DAIを含むアップリンクグラントを受信するステップであって、前記複数のDAIグループの各々が、キャリアアグリゲーションのために前記UEによって使用されるコンポーネントキャリアの異なるセットと関連付けられる、ステップと、
前記アップリンクグラントに含まれる前記複数の総DAIに少なくとも一部基づいて、前記複数のDAIグループのための肯定応答(ACK)または否定応答(NACK)(ACK/NACK)フィードバックを送信するステップとを備える、方法。
【請求項８】
前記複数の総DAIが、前記アップリンクグラントの異なるフィールドにおいて示される、請求項7に記載の方法。
【請求項９】
前記アップリンクグラントが、アップリンク制御情報がアップリンクデータチャネルを介してピギーバックされる該アップリンクデータチャネルに対するものである、請求項7に記載の方法。
【請求項１０】
前記ACK/NACKフィードバックが、アップリンクデータチャネルを介して送信される、請求項7に記載の方法。
【請求項１１】
前記アップリンクグラントが、前記UEによって使用されるコンポーネントキャリアの異なるセットに対して、トランスポートブロック当たり異なる数のコードブロックグループを前記UEが使用するとき、前記複数の総DAIを含む、請求項7に記載の方法。
【請求項１２】
前記複数の総DAIが、前記UEによって使用されるコンポーネントキャリアの第1のセットのための第1の総DAIと、前記UEによって使用されるコンポーネントキャリアの第2のセットのための第2の総DAIとを含む、請求項7に記載の方法。
【請求項１３】
コンポーネントキャリアの前記第1のセットおよびコンポーネントキャリアの前記第2のセットが、トランスポートブロック当たり異なる数のコードブロックグループを使用する、請求項12に記載の方法。
【請求項１４】
ワイヤレス通信のための基地局であって、
メモリと、
前記メモリに動作可能に結合された1つまたは複数のプロセッサと
を備え、前記メモリおよび前記1つまたは複数のプロセッサが、
ユーザ機器(UE)と関連付けられる複数のダウンリンク割当てインデックス(DAI)グループに対応する複数の総DAIを決定することと、前記複数のDAIグループの各々が、キャリアアグリゲーションのために前記UEによって使用されるコンポーネントキャリアの異なるセットと関連付けられ、
アップリンクグラントにおいて前記複数の総DAIを前記UEに送信することと
を行うように構成される、基地局。
【請求項１５】
前記複数の総DAIが、前記アップリンクグラントの異なるフィールドにおいて示される、請求項14に記載の基地局。
【請求項１６】
前記アップリンクグラントが、アップリンク制御情報がアップリンクデータチャネルを介してピギーバックされる該アップリンクデータチャネルに対するものである、請求項14に記載の基地局。
【請求項１７】
前記複数の総DAIが、前記UEによって使用されるコンポーネントキャリアの異なるセットに対して、トランスポートブロック当たり異なる数のコードブロックグループを前記UEが使用するという決定に少なくとも一部基づいて送信される、請求項14に記載の基地局。
【請求項１８】
前記複数の総DAIが、前記UEによって使用されるコンポーネントキャリアの第1のセットのための第1の総DAIと、前記UEによって使用されるコンポーネントキャリアの第2のセットのための第2の総DAIとを含む、請求項14に記載の基地局。
【請求項１９】
コンポーネントキャリアの前記第1のセットおよびコンポーネントキャリアの前記第2のセットが、トランスポートブロック当たり異なる数のコードブロックグループを使用する、請求項18に記載の基地局。
【請求項２０】
ワイヤレス通信のためのユーザ機器(UE)であって、
メモリと、
前記メモリに動作可能に結合された1つまたは複数のプロセッサと
を備え、前記メモリおよび前記1つまたは複数のプロセッサが、
前記UEと関連付けられる複数のダウンリンク割当てインデックス(DAI)グループに対応する複数の総DAIを含むアップリンクグラントを受信することと、前記複数のDAIグループの各々が、キャリアアグリゲーションのために前記UEによって使用されるコンポーネントキャリアの異なるセットと関連付けられ、
前記アップリンクグラントに含まれる前記複数の総DAIに少なくとも一部基づいて、前記複数のDAIグループのための肯定応答(ACK)または否定応答(NACK)(ACK/NACK)フィードバックを送信することと
を行うように構成される、ユーザ機器。
【請求項２１】
前記複数の総DAIが、前記アップリンクグラントの異なるフィールドにおいて示される、請求項20に記載のユーザ機器。
【請求項２２】
前記アップリンクグラントが、アップリンク制御情報がアップリンクデータチャネルを介してピギーバックされる該アップリンクデータチャネルに対するものである、請求項20に記載のユーザ機器。
【請求項２３】
前記ACK/NACKフィードバックが、アップリンクデータチャネルを介して送信される、請求項20に記載のユーザ機器。
【請求項２４】
前記アップリンクグラントが、前記UEによって使用されるコンポーネントキャリアの異なるセットに対して、トランスポートブロック当たり異なる数のコードブロックグループを前記UEが使用するとき、前記複数の総DAIを含む、請求項20に記載のユーザ機器。
【請求項２５】
前記複数の総DAIが、前記UEによって使用されるコンポーネントキャリアの第1のセットのための第1の総DAIと、前記UEによって使用されるコンポーネントキャリアの第2のセットのための第2の総DAIとを含む、請求項20に記載のユーザ機器。
【請求項２６】
コンポーネントキャリアの前記第1のセットおよびコンポーネントキャリアの前記第2のセットが、トランスポートブロック当たり異なる数のコードブロックグループを使用する、請求項25に記載のユーザ機器。
【発明の詳細な説明】
【技術分野】
【０００１】
米国特許法第119条に基づく関連出願への相互参照
本特許出願は、2017年11月22日に出願された「TECHNIQUES AND APPARATUSES FOR USING A DOWNLINK ASSIGNMENT INDEX IN NEW RADIO」という表題の米国仮特許出願第62/590,057号の優先権を主張し、本出願は、2018年11月14日に出願された「TECHNIQUES AND APPARATUSES FOR USING A DOWNLINK ASSIGNMENT INDEX IN NEW RADIO」という表題の米国本特許出願第16/190,762号の優先権を主張し、これらは本明細書に参照によって明確に組み込まれる。
【０００２】
本開示の態様は全般に、ワイヤレス通信に関し、より具体的には、New Radioにおいてダウンリンク割当てインデックス(DAI)を使用するための技法および装置に関する。
【背景技術】
【０００３】
ワイヤレス通信システムは、電話、ビデオ、データ、メッセージング、およびブロードキャストなどの様々な遠隔通信サービスを提供するために、広く展開されている。典型的なワイヤレス通信システムは、利用可能なシステムリソース(たとえば、帯域幅、送信電力など)を共有することによって、複数のユーザとの通信をサポートすることが可能な多元接続技術を利用し得る。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)システム、およびLong Term Evolution (LTE)がある。LTE/LTE-Advancedは、第3世代パートナーシッププロジェクト(3GPP)によって公表されたUniversal Mobile Telecommunications System (UMTS)モバイル規格への改良のセットである。
【０００４】
ワイヤレス通信ネットワークは、いくつかのユーザ機器(UE)のための通信をサポートすることができるいくつかの基地局(BS)を含み得る。ユーザ機器(UE)は、ダウンリンクおよびアップリンクを介して基地局(BS)と通信し得る。ダウンリンク(または順方向リンク)はBSからUEへの通信リンクを指し、アップリンク(または逆方向リンク)はUEからBSへの通信リンクを指す。本明細書でより詳細に説明されるように、BSは、Node B、gNB、アクセスポイント(AP)、ラジオヘッド、送受信ポイント(TRP)、new radio (NR)BS、5G Node Bなどと呼ばれ得る。
【発明の概要】
【発明が解決しようとする課題】
【０００５】
上記の多元接続技術は、都市レベル、国家レベル、地域レベル、および世界レベルで様々なユーザ機器が通信することを可能にする共通プロトコルを提供するために、様々な遠隔通信規格において採用されている。5Gとも呼ばれることがあるNew Radio (NR)は、第3世代パートナーシッププロジェクト(3GPP)によって公表されたLTEモバイル規格に対する改良のセットである。NRは、スペクトル効率を高め、コストを減らし、サービスを改善し、新しいスペクトルを利用し、巡回プレフィックス(CP)を伴う直交周波数分割多重化(OFDM)(CP-OFDM)をダウンリンク(DL)上で使用し、CP-OFDMおよび/またはSC-FDM(離散フーリエ変換拡散OFDM(DFT-s-OFDM)としても知られている)をアップリンク(UL)上で使用して他のオープン規格とよりうまく調和し、ならびにビームフォーミング、多入力多出力(MIMO)アンテナ技術、およびキャリアアグリゲーションをサポートすることによって、モバイルブロードバンドインターネットアクセスをよりうまくサポートするように設計されている。しかしながら、モバイルブロードバンドアクセスへの需要が高まり続けるにつれて、LTE技術およびNR技術のさらなる改善が必要である。好ましくは、これらの改善は、これらの技術を利用する他の多元接続技術および遠隔通信規格に適用可能であるべきである。
【課題を解決するための手段】
【０００６】
いくつかの態様では、ワイヤレス通信の方法は基地局によって実行され得る。方法は、バンドリングウィンドウの総DAIを決定するステップであって、総DAIがバンドリングウィンドウにおいてUEに送信されるダウンリンクグラントの数を示す、ステップと、ダウンリンクグラント以外のダウンリンク制御情報(DCI)において総DAIをUEに送信するステップとを含み得る。
【０００７】
いくつかの態様では、ワイヤレス通信の方法はUEによって実行され得る。方法は、ダウンリンクグラント以外のDCIにおいて総DAIについてスロットを監視するステップであって、総DAIがバンドリングウィンドウにおいてUEに送信されるダウンリンクグラントの数を示す、ステップと、総DAIがUEによって受信されたかどうかを決定するステップと、総DAIが受信されたかどうかに少なくとも一部基づいて、バンドリングウィンドウのための肯定応答(ACK)または否定応答(NACK)(ACK/NACK)フィードバックを選択的に送信するステップとを含み得る。
【０００８】
いくつかの態様では、ワイヤレス通信の方法は基地局によって実行され得る。方法は、バンドリングウィンドウの最後のスロットにおいてUEのためにダウンリンク割当てがスケジューリングされるべきであるかどうかを決定するステップと、ダウンリンク割当てがスケジューリングされるべきであるかどうかに少なくとも一部基づいて、バンドリングウィンドウの総DAIを決定するステップであって、総DAIがバンドリングウィンドウにおいてUEに送信されるダウンリンクグラントの数を示す、ステップと、バンドリングウィンドウの最後のスロットにおいてダウンリンク割当てがスケジューリングされるべきであるかどうかにかかわらず、バンドリングウィンドウの最後のスロットにおいて総DAIを送信するステップとを含み得る。
【０００９】
いくつかの態様では、ワイヤレス通信の方法はUEによって実行され得る。方法は、総DAIについてバンドリングウィンドウの最後のスロットを監視するステップであって、総DAIがバンドリングウィンドウにおいてUEに送信されるダウンリンクグラントの数を示す、ステップと、総DAIがバンドリングウィンドウの最後のスロットにおいてUEによって受信されたかどうかを決定するステップと、総DAIがバンドリングウィンドウの最後のスロットにおいて受信されたかどうかに少なくとも一部基づいて、バンドリングウィンドウのためのACK/NACKフィードバックを選択的に送信するステップとを含み得る。
【００１０】
いくつかの態様では、ワイヤレス通信の方法は基地局によって実行され得る。方法は、バンドリングウィンドウにおいて複数のUEの各々に送信されるダウンリンクグラントの数に少なくとも一部基づいて、バンドリングウィンドウの複数の総DAIを決定するステップと、複数のUEと関連付けられる共通のダウンリンク制御通信において複数の総DAIを送信するステップとを含み得る。
【００１１】
いくつかの態様では、ワイヤレス通信の方法はUEによって実行され得る。方法は、バンドリングウィンドウにおいて複数のUEの各々に送信されるダウンリンクグラントの数を示す複数の総DAIを含む、複数のUEと関連付けられる、共通のダウンリンク制御通信を受信するステップと、共通のダウンリンク制御通信から、UEに対応する、複数の総DAIのうちのある総DAIを特定するステップと、総DAIに少なくとも一部基づいて、バンドリングウィンドウのためのACK/NACKフィードバックを送信するステップとを含み得る。
【００１２】
いくつかの態様では、ワイヤレス通信の方法は基地局によって実行され得る。方法は、UEと関連付けられる複数のDAIグループに対応する複数の総DAIを決定するステップであって、複数のDAIグループの各々がキャリアアグリゲーションのためにUEによって使用されるコンポーネントキャリアの異なるセットと関連付けられる、ステップと、アップリンクグラントにおいて複数の総DAIをUEに送信するステップとを含み得る。
【００１３】
いくつかの態様では、ワイヤレス通信の方法はUEによって実行され得る。方法は、UEと関連付けられる複数のDAIグループに対応する複数の総DAIを含むアップリンクグラントを受信するステップであって、複数のDAIグループの各々がキャリアアグリゲーションのためにUEによって使用されるコンポーネントキャリアの異なるセットと関連付けられる、ステップと、アップリンクグラントに含まれる複数の総DAIに少なくとも一部基づいて、複数のDAIグループのためのACK/NACKフィードバックを送信するステップとを含み得る。
【００１４】
いくつかの態様では、ワイヤレス通信のための基地局は、メモリと、メモリに動作可能に結合された1つまたは複数のプロセッサとを含み得る。メモリおよび1つまたは複数のプロセッサは、バンドリングウィンドウの総DAIを決定し、総DAIがバンドリングウィンドウにおいてUEに送信されるダウンリンクグラントの数を示し、ダウンリンクグラント以外のDCIにおいて総DAIをUEに送信するように構成され得る。
【００１５】
いくつかの態様では、ワイヤレス通信のためのUEは、メモリと、メモリに動作可能に結合された1つまたは複数のプロセッサを含み得る。メモリおよび1つまたは複数のプロセッサは、ダウンリンクグラント以外のDCIにおいて総DAIについてスロットを監視し、総DAIがバンドリングウィンドウにおいてUEに送信されるダウンリンクグラントの数を示し、総DAIがUEによって受信されたかどうかを決定し、総DAIが受信されたかどうかに少なくとも一部基づいて、バンドリングウィンドウのためのACK/NACKフィードバックを選択的に送信するように構成され得る。
【００１６】
いくつかの態様では、ワイヤレス通信のための基地局は、メモリと、メモリに動作可能に結合された1つまたは複数のプロセッサとを含み得る。メモリおよび1つまたは複数のプロセッサは、バンドリングウィンドウの最後のスロットにおいてUEのためにダウンリンク割当てがスケジューリングされるべきであるかどうかを決定し、ダウンリンク割当てがスケジューリングされるべきであるかどうかに少なくとも一部基づいて、バンドリングウィンドウの総DAIを決定し、総DAIがバンドリングウィンドウにおいてUEに送信されるダウンリンクグラントの数を示し、バンドリングウィンドウの最後のスロットにおいてダウンリンク割当てがスケジューリングされるべきであるかどうかにかかわらず、バンドリングウィンドウの最後のスロットにおいて総DAIを送信するように構成され得る。
【００１７】
いくつかの態様では、ワイヤレス通信のためのUEは、メモリと、メモリに動作可能に結合された1つまたは複数のプロセッサを含み得る。メモリおよび1つまたは複数のプロセッサは、総DAIについてバンドリングウィンドウの最後のスロットを監視し、総DAIがバンドリングウィンドウにおいてUEに送信されるダウンリンクグラントの数を示し、総DAIがバンドリングウィンドウの最後のスロットにおいてUEによって受信されたかどうかを決定し、総DAIがバンドリングウィンドウの最後のスロットにおいて受信されたかどうかに少なくとも一部基づいて、バンドリングウィンドウのためのACK/NACKフィードバックを選択的に送信するように構成され得る。
【００１８】
いくつかの態様では、ワイヤレス通信のための基地局は、メモリと、メモリに動作可能に結合された1つまたは複数のプロセッサとを含み得る。メモリおよび1つまたは複数のプロセッサは、バンドリングウィンドウにおいて複数のUEの各々に送信されるダウンリンクグラントの数に少なくとも一部基づいて、バンドリングウィンドウの複数の総DAIを決定し、複数のUEと関連付けられる共通のダウンリンク制御通信において複数の総DAIを送信するように構成され得る。
【００１９】
いくつかの態様では、ワイヤレス通信のためのUEは、メモリと、メモリに動作可能に結合された1つまたは複数のプロセッサを含み得る。メモリおよび1つまたは複数のプロセッサは、バンドリングウィンドウにおいて複数のUEの各々に送信されるダウンリンクグラントの数を示す複数の総DAIを含む、複数のUEと関連付けられる、共通のダウンリンク制御通信を受信し、共通のダウンリンク制御通信から、UEに対応する、複数の総DAIのうちのある総DAIを特定し、総DAIに少なくとも一部基づいて、バンドリングウィンドウのためのACK/NACKフィードバックを送信するように構成され得る。
【００２０】
いくつかの態様では、ワイヤレス通信のための基地局は、メモリと、メモリに動作可能に結合された1つまたは複数のプロセッサとを含み得る。メモリおよび1つまたは複数のプロセッサは、UEと関連付けられる複数のDAIグループに対応する複数の総DAIを決定し、複数のDAIグループの各々がキャリアアグリゲーションのためにUEによって使用されるコンポーネントキャリアの異なるセットと関連付けられ、アップリンクグラントにおいて複数の総DAIをUEに送信するように構成され得る。
【００２１】
いくつかの態様では、ワイヤレス通信のためのUEは、メモリと、メモリに動作可能に結合された1つまたは複数のプロセッサを含み得る。メモリおよび1つまたは複数のプロセッサは、UEと関連付けられる複数のDAIグループに対応する複数の総DAIを含むアップリンクグラントを受信し、複数のDAIグループの各々がキャリアアグリゲーションのためにUEによって使用されるコンポーネントキャリアの異なるセットと関連付けられ、アップリンクグラントに含まれる複数の総DAIに少なくとも一部基づいて、複数のDAIグループのためのACK/NACKフィードバックを送信するように構成され得る。
【００２２】
いくつかの態様では、非一時的コンピュータ可読媒体は、ワイヤレス通信のための1つまたは複数の命令を記憶し得る。1つまたは複数の命令は、基地局の1つまたは複数のプロセッサによって実行されると、1つまたは複数のプロセッサに、バンドリングウィンドウの総DAIを決定させ、総DAIがバンドリングウィンドウにおいてUEに送信されるダウンリンクグラントの数を示し、ダウンリンクグラント以外のDCIにおいて総DAIをUEへ送信させ得る。
【００２３】
いくつかの態様では、非一時的コンピュータ可読媒体は、ワイヤレス通信のための1つまたは複数の命令を記憶し得る。1つまたは複数の命令は、UEの1つまたは複数のプロセッサによって実行されると、1つまたは複数のプロセッサに、ダウンリンクグラント以外のDCIにおいて総DAIについてスロットを監視させ、総DAIがバンドリングウィンドウにおいてUEに送信されるダウンリンクグラントの数を示し、総DAIがUEによって受信されたかどうかを決定させ、総DAIが受信されたかどうかに少なくとも一部基づいて、バンドリングウィンドウのためのACK/NACKフィードバックを選択的に送信させ得る。
【００２４】
いくつかの態様では、非一時的コンピュータ可読媒体は、ワイヤレス通信のための1つまたは複数の命令を記憶し得る。1つまたは複数の命令は、基地局の1つまたは複数のプロセッサによって実行されると、1つまたは複数のプロセッサに、バンドリングウィンドウの最後のスロットにおいてUEのためにダウンリンク割当てがスケジューリングされるべきであるかどうかを決定させ、ダウンリンク割当てがスケジューリングされるべきであるかどうかに少なくとも一部基づいて、バンドリングウィンドウの総DAIを決定させ、総DAIがバンドリングウィンドウにおいてUEに送信されるダウンリンクグラントの数を示し、バンドリングウィンドウの最後のスロットにおいてダウンリンク割当てがスケジューリングされるべきであるかどうかにかかわらず、バンドリングウィンドウの最後のスロットにおいて総DAIを送信させ得る。
【００２５】
いくつかの態様では、非一時的コンピュータ可読媒体は、ワイヤレス通信のための1つまたは複数の命令を記憶し得る。1つまたは複数の命令は、UEの1つまたは複数のプロセッサによって実行されると、1つまたは複数のプロセッサに、総DAIについてバンドリングウィンドウの最後のスロットを監視させ、総DAIがバンドリングウィンドウにおいてUEに送信されるダウンリンクグラントの数を示し、総DAIがバンドリングウィンドウの最後のスロットにおいてUEによって受信されたかどうかを決定させ、総DAIがバンドリングウィンドウの最後のスロットにおいて受信されたかどうかに少なくとも一部基づいて、バンドリングウィンドウのためのACK/NACKフィードバックを選択的に送信させ得る。
【００２６】
いくつかの態様では、非一時的コンピュータ可読媒体は、ワイヤレス通信のための1つまたは複数の命令を記憶し得る。1つまたは複数の命令は、基地局の1つまたは複数のプロセッサによって実行されると、1つまたは複数のプロセッサに、バンドリングウィンドウにおいて複数のUEの各々に送信されるダウンリンクグラントの数に少なくとも一部基づいて、バンドリングウィンドウの複数の総DAIを決定させ、複数のUEと関連付けられる共通のダウンリンク制御通信において複数の総DAIを送信させ得る。
【００２７】
いくつかの態様では、非一時的コンピュータ可読媒体は、ワイヤレス通信のための1つまたは複数の命令を記憶し得る。1つまたは複数の命令は、UEの1つまたは複数のプロセッサによって実行されると、1つまたは複数のプロセッサに、バンドリングウィンドウにおいて複数のUEの各々に送信されるダウンリンクグラントの数を示す複数の総DAIを含む、複数のUEと関連付けられる、共通のダウンリンク制御通信を受信させ、共通のダウンリンク制御通信から、UEに対応する、複数の総DAIのうちのある総DAIを特定させ、総DAIに少なくとも一部基づいて、バンドリングウィンドウのためのACK/NACKフィードバックを送信させ得る。
【００２８】
いくつかの態様では、非一時的コンピュータ可読媒体は、ワイヤレス通信のための1つまたは複数の命令を記憶し得る。1つまたは複数の命令は、基地局の1つまたは複数のプロセッサによって実行されると、1つまたは複数のプロセッサに、UEと関連付けられる複数のDAIグループに対応する複数の総DAIを決定させ、複数のDAIグループの各々がキャリアアグリゲーションのためにUEによって使用されるコンポーネントキャリアの異なるセットと関連付けられ、アップリンクグラントにおいて複数の総DAIをUEへ送信させ得る。
【００２９】
いくつかの態様では、非一時的コンピュータ可読媒体は、ワイヤレス通信のための1つまたは複数の命令を記憶し得る。1つまたは複数の命令は、UEの1つまたは複数のプロセッサによって実行されると、1つまたは複数のプロセッサに、UEと関連付けられる複数のDAIグループに対応する複数の総DAIを含むアップリンクグラントを受信させ、複数のDAIグループの各々がキャリアアグリゲーションのためにUEによって使用されるコンポーネントキャリアの異なるセットと関連付けられ、アップリンクグラントに含まれる複数の総DAIに少なくとも一部基づいて、複数のDAIグループのためのACK/NACKフィードバックを送信させ得る。
【００３０】
いくつかの態様では、ワイヤレス通信のための装置は、バンドリングウィンドウの総DAIを決定するための手段であって、総DAIがバンドリングウィンドウにおいてUEに送信されるダウンリンクグラントの数を示す、手段と、ダウンリンクグラント以外のDCIにおいて総DAIをUEに送信するための手段とを含み得る。
【００３１】
いくつかの態様では、ワイヤレス通信のための装置は、ダウンリンクグラント以外のDCIにおいて総DAIについてスロットを監視するための手段であって、総DAIがバンドリングウィンドウにおいて装置に送信されるダウンリンクグラントの数を示す、手段と、総DAIが装置によって受信されたかどうかを決定するための手段と、総DAIが受信されたかどうかに少なくとも一部基づいて、バンドリングウィンドウのためのACK/NACKフィードバックを選択的に送信するための手段とを含み得る。
【００３２】
いくつかの態様では、ワイヤレス通信のための装置は、バンドリングウィンドウの最後のスロットにおいてUEのためにダウンリンク割当てがスケジューリングされるべきであるかどうかを決定するための手段と、ダウンリンク割当てがスケジューリングされるべきであるかどうかに少なくとも一部基づいて、バンドリングウィンドウの総DAIを決定するための手段であって、総DAIがバンドリングウィンドウにおいてUEに送信されるダウンリンクグラントの数を示す、手段と、バンドリングウィンドウの最後のスロットにおいてダウンリンク割当てがスケジューリングされるべきであるかどうかにかかわらず、バンドリングウィンドウの最後のスロットにおいて総DAIを送信するための手段とを含み得る。
【００３３】
いくつかの態様では、ワイヤレス通信のための装置は、総DAIについてバンドリングウィンドウの最後のスロットを監視するための手段であって、総DAIがバンドリングウィンドウにおいて装置に送信されるダウンリンクグラントの数を示す、手段と、総DAIがバンドリングウィンドウの最後のスロットにおいて装置によって受信されたかどうかを決定するための手段と、総DAIがバンドリングウィンドウの最後のスロットにおいて受信されたかどうかに少なくとも一部基づいて、バンドリングウィンドウのためのACK/NACKフィードバックを選択的に送信するための手段とを含み得る。
【００３４】
いくつかの態様では、ワイヤレス通信のための装置は、バンドリングウィンドウにおいて複数のUEの各々に送信されるダウンリンクグラントの数に少なくとも一部基づいて、バンドリングウィンドウの複数の総DAIを決定するための手段と、複数のUEと関連付けられる共通のダウンリンク制御通信において複数の総DAIを送信するための手段とを含み得る。
【００３５】
いくつかの態様では、ワイヤレス通信のための装置は、バンドリングウィンドウにおいて複数のUEの各々に送信されるダウンリンクグラントの数を示す複数の総DAIを含む、複数のUEと関連付けられる、共通のダウンリンク制御通信を受信するための手段と、共通のダウンリンク制御通信から、装置に対応する、複数の総DAIのうちのある総DAIを特定するための手段と、総DAIに少なくとも一部基づいて、バンドリングウィンドウのためのACK/NACKフィードバックを送信するための手段とを含み得る。
【００３６】
いくつかの態様では、ワイヤレス通信のための装置は、UEと関連付けられる複数のDAIグループに対応する複数の総DAIを決定するための手段であって、複数のDAIグループの各々がキャリアアグリゲーションのためにUEによって使用されるコンポーネントキャリアの異なるセットと関連付けられる、手段と、アップリンクグラントにおいて複数の総DAIをUEに送信するための手段とを含み得る。
【００３７】
いくつかの態様では、ワイヤレス通信のための装置は、装置と関連付けられる複数のDAIグループに対応する複数の総DAIを含むアップリンクグラントを受信するための手段であって、複数のDAIグループの各々がキャリアアグリゲーションのために装置によって使用されるコンポーネントキャリアの異なるセットと関連付けられる、手段と、アップリンクグラントに含まれる複数の総DAIに少なくとも一部基づいて、複数のDAIグループのためのACK/NACKフィードバックを送信するための手段とを含み得る。
【００３８】
態様は全般に、添付の図面および明細書を参照して本明細書で実質的に説明されるような、かつそれらによって例示されるような、方法、デバイス、装置、コンピュータプログラム製品、非一時的コンピュータ可読媒体、ユーザ機器、基地局、ワイヤレス通信デバイス、および処理システムを含む。
【００３９】
上記は、以下の詳細な説明がより良く理解され得るように、本開示による例の特徴および技術的な利点をやや広く概説したものである。追加の特徴および利点が以下で説明される。開示される概念および具体的な例は、本開示の同じ目的を実行するための他の構造を修正または設計するための基礎として容易に利用され得る。そのような等価な制約は、添付の特許請求の範囲から逸脱しない。本明細書で開示される概念の特性、それらの編成と動作方法の両方が、添付の図面に関連して検討されれば、以下の説明から、関連する利点とともにより良く理解されるであろう。図面の各々は、請求項の範囲を定義するものとしてではなく、例示および説明を目的に提供されている。
【００４０】
本開示の上で列挙された特徴が詳細に理解され得るように、上で簡単に要約されたより具体的な説明は、添付の図面にその一部が示されている態様を参照することによって得ることができる。しかしながら、その説明は他の等しく有効な態様を許容し得るので、添付の図面は、本開示のいくつかの典型的な態様だけを示しており、したがってその範囲を限定するものと見なされるべきではないことに留意されたい。異なる図面における同じ参照番号は、同じまたは同様の要素を識別し得る。
【図面の簡単な説明】
【００４１】
【図１】本開示の様々な態様による、ワイヤレス通信ネットワークの例を概念的に示すブロック図である。
【図２】本開示の様々な態様による、ワイヤレス通信ネットワークにおけるユーザ機器(UE)と通信している基地局の例を概念的に示すブロック図である。
【図３】本開示の様々な態様による、ハイブリッド自動再送要求肯定応答または否定応答(HARQ ACK/NACK)フィードバックのためにダウンリンク割当てインデックスを使用することの例を示す図である。
【図４】本開示の様々な態様による、ハイブリッド自動再送要求肯定応答または否定応答(HARQ ACK/NACK)フィードバックのためにダウンリンク割当てインデックスを使用することの例を示す図である。
【図５】本開示の様々な態様による、HARQ ACK/NACKフィードバックのためにバンドリングウィンドウを使用することの例を示す図である。
【図６】本開示の様々な態様による、New Radioにおいてダウンリンク割当てインデックス(DAI)を使用することに関する例示的なプロセスを示す図である。
【図７】本開示の様々な態様による、New Radioにおいてダウンリンク割当てインデックス(DAI)を使用することに関する例示的なプロセスを示す図である。
【図８】本開示の様々な態様による、New Radioにおいてダウンリンク割当てインデックス(DAI)を使用することに関する例示的なプロセスを示す図である。
【図９】本開示の様々な態様による、New Radioにおいてダウンリンク割当てインデックス(DAI)を使用することに関する例示的なプロセスを示す図である。
【図１０】本開示の様々な態様による、New Radioにおいてダウンリンク割当てインデックス(DAI)を使用することに関する例示的なプロセスを示す図である。
【図１１】本開示の様々な態様による、New Radioにおいてダウンリンク割当てインデックス(DAI)を使用することに関する例示的なプロセスを示す図である。
【図１２】本開示の様々な態様による、New Radioにおいてダウンリンク割当てインデックス(DAI)を使用することに関する例示的なプロセスを示す図である。
【図１３】本開示の様々な態様による、New Radioにおいてダウンリンク割当てインデックス(DAI)を使用することに関する例示的なプロセスを示す図である。
【発明を実施するための形態】
【００４２】
本開示の様々な態様が、添付の図面を参照して以下でより十分に説明される。しかしながら、本開示は、多くの異なる形態で具現化されてよく、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の任意の他の態様とは無関係に実装されるにせよ、本開示の任意の他の態様と組み合わせて実装されるにせよ、本明細書で開示される本開示の任意の態様を包含するものであることを、当業者は諒解されたい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示される本開示のいかなる態様も、請求項の1つまたは複数の要素によって具現化され得ることを理解されたい。
【００４３】
次に、様々な装置および技法を参照して、遠隔通信システムのいくつかの態様が提示される。これらの装置および技法は、以下の詳細な説明において説明され、様々なブロック、モジュール、構成要素、回路、ステップ、プロセス、アルゴリズムなど(「要素」と総称される)によって添付の図面に示される。これらの要素は、ハードウェア、ソフトウェア、またはそれらの組合せを使用して実装され得る。そのような要素がハードウェアとして実装されるか、ソフトウェアとして実装されるかは、具体的な適用例および全体的なシステムに課される設計制約に依存する。
【００４４】
態様は、3Gおよび/または4Gワイヤレス技術と一般的に関連付けられる用語を使用して本明細書で説明され得るが、本開示の態様は、NR技術を含む、5G以降などの他の世代ベースの通信システムにおいて適用され得ることに留意されたい。
【００４５】
図1は、本開示の態様が実践され得るネットワーク100を示す図である。ネットワーク100は、LTEネットワーク、または5GもしくはNRネットワークなどの何らかの他のワイヤレスネットワークであり得る。ワイヤレスネットワーク100は、いくつかのBS110(BS110a、BS110b、BS110c、およびBS110dとして示される)と、他のネットワークエンティティとを含み得る。BSは、ユーザ機器(UE)と通信するエンティティであり、基地局、NR BS、Node B、gNB、5G node B(NB)、アクセスポイント、送受信ポイント(TRP)などと呼ばれることもある。各BSは、特定の地理的エリアのための通信カバレッジを提供し得る。3GPPでは、「セル」という用語は、その用語が使用される状況に応じて、BSのカバレッジエリア、および/またはこのカバレッジエリアにサービスしているBSサブシステムを指し得る。
【００４６】
BSは、マクロセル、ピコセル、フェムトセル、および/または別のタイプのセルのための通信カバレッジを提供し得る。マクロセルは、比較的大きい地理的エリア(たとえば、半径数キロメートル)をカバーすることがあり、サービスに加入しているUEによる無制限アクセスを可能にすることがある。ピコセルは、比較的小さい地理的エリアをカバーすることがあり、サービスに加入しているUEによる無制限アクセスを可能にすることがある。フェムトセルは、比較的小さい地理的エリア(たとえば、自宅)をカバーすることがあり、フェムトセルとの関連を有するUE(たとえば、限定加入者グループ(CSG)の中のUE)による制限付きアクセスを可能にすることがある。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示される例では、BS110aは、マクロセル102aのためのマクロBSであってもよく、BS110bは、ピコセル102bのためのピコBSであってもよく、BS110cは、フェムトセル102cのためのフェムトBSであってもよい。BSは1つまたは複数(たとえば、3つ)のセルをサポートしてもよい。「eNB」、「基地局」、「NR BS」、「gNB」、「TRP」、「AP」、「node B」、「5G NB」、および「セル」という用語は、本明細書では互換的に使用され得る。
【００４７】
いくつかの態様では、セルは、必ずしも静止しているとは限らないことがあり、セルの地理的エリアは、モバイルBSの位置に従って移動することがある。いくつかの態様では、BSは、任意の適切なトランスポートネットワークを使用して、直接物理接続、仮想ネットワークなどの、様々なタイプのバックホールインターフェースを通じて、アクセスネットワーク100の中で互いに、かつ/または1つまたは複数の他のBSもしくはネットワークノード(図示せず)に相互接続され得る。
【００４８】
ワイヤレスネットワーク100はまた、中継局を含み得る。中継局は、上流局(たとえば、BSまたはUE)からデータの送信を受信でき、そのデータの送信を下流局(たとえば、UEまたはBS)に送信できるエンティティである。中継局はまた、他のUEのための送信を中継することができるUEであり得る。図1に示される例では、中継局110dは、BS110aとUE120dとの間の通信を容易にするために、マクロBS110aおよびUE120dと通信し得る。中継局は、中継BS、中継基地局、リレーなどと呼ばれることもある。
【００４９】
ワイヤレスネットワーク100は、異なるタイプのBS、たとえば、マクロBS、ピコBS、フェムトBS、中継BSなどを含む、異種ネットワークであり得る。これらの異なるタイプのBSは、ワイヤレスネットワーク100において、異なる送信電力レベル、異なるカバレッジエリア、および干渉に対する異なる影響を有することがある。たとえば、マクロBSは、高い送信電力レベル(たとえば、5〜40ワット)を有することがあり、ピコBS、フェムトBS、および中継BSは、より低い送信電力レベル(たとえば、0.1〜2ワット)を有することがある。
【００５０】
ネットワークコントローラ130は、BSのセットに結合することがあり、これらのBSのための協調および制御を行うことがある。ネットワークコントローラ130は、バックホールを経由してBSと通信し得る。BSはまた、たとえば、ワイヤレスまたは有線のバックホールを介して、直接または間接的に互いに通信し得る。
【００５１】
UE120(たとえば、120a、120b、120c)はワイヤレスネットワーク100全体にわたって分散されることがあり、各UEは固定式または移動式であることがある。UEは、アクセス端末、端末、移動局、加入者ユニット、局などと呼ばれることもある。UEは、携帯電話(たとえば、スマートフォン)、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、タブレット、カメラ、ゲームデバイス、ネットブック、スマートブック、ウルトラブック、医療デバイスもしくは医療機器、生体センサー/デバイス、ウェアラブルデバイス(スマートウォッチ、スマート衣服、スマートグラス、スマートリストバンド、スマートジュエリー(たとえば、スマートリング、スマートブレスレット))、エンターテインメントデバイス(たとえば、音楽もしくはビデオデバイス、または衛星ラジオ)、車両部品もしくはセンサー、スマートメーター/センサー、産業用製造機器、全地球測位システムデバイス、または、ワイヤレスもしくは有線媒体を介して通信するように構成される任意の他の適切なデバイスであり得る。
【００５２】
いくつかのUEは、マシンタイプ通信(MTC)UEまたは発展型または拡張マシンタイプ通信(eMTC:evolved or enhanced Machine-Type Communication)UEと見なされ得る。MTC UEおよびeMTC UEは、たとえば、基地局、別のデバイス(たとえば、リモートデバイス)、または何らかの他のエンティティと通信し得る、ロボット、ドローン、センサー、メーター、モニター、ロケーションタグなどのリモートデバイスなどを含む。ワイヤレスノードは、たとえば、有線またはワイヤレス通信リンクを介して、ネットワーク(たとえば、インターネットまたはセルラーネットワークなどのワイドエリアネットワーク)のための、またはネットワークへの接続性を提供し得る。いくつかのUEは、Internet-of-Things (IoT)デバイスと見なされることがあり、ならびに/またはNB-IoT(narrowband internet of things)デバイスとして実装されてもよい。いくつかのUEは、顧客構内機器(CPE)と見なされてもよい。UE120は、プロセッサ構成要素、メモリ構成要素などのUE120の構成要素を収容するハウジングの内部に含められてもよい。
【００５３】
一般に、任意の数のワイヤレスネットワークが、所与の地理的エリアの中で展開され得る。各ワイヤレスネットワークは、特定のRATをサポートすることがあり、1つまたは複数の周波数上で動作することがある。RATは、無線技術、エアインターフェースなどと呼ばれることもある。周波数は、キャリア、周波数チャネルなどと呼ばれることもある。各周波数は、異なるRATのワイヤレスネットワーク間の干渉を避けるために、所与の地理的エリアにおいて単一のRATをサポートしてもよい。いくつかの場合、NRまたは5G RATネットワークが展開されてもよい。
【００５４】
いくつかの態様では、2つ以上のUE120(たとえば、UE120aおよびUE120eとして示されている)が、1つまたは複数のサイドリンクチャネルを使用して(たとえば、互いに通信するための媒介として基地局110を使用せずに)直接通信し得る。たとえば、UE120は、ピアツーピア(P2P)通信、デバイス間(D2D)通信、(たとえば、車両間(V2V:vehicle-to-vehicle)プロトコル、路車間(V2I:vehicle-to-infrastructure)プロトコルなどを含み得る)ビークルツーエブリシング(V2X:vehicle-to-everything)プロトコル、メッシュネットワークなどを使用して通信し得る。この場合、UE120は、スケジューリング動作、リソース選択動作、および/または本明細書の他の箇所で基地局110によって実行されるものとして説明される他の動作を実行し得る。
【００５５】
本明細書で説明される例の態様は、NR技術または5G技術と関連付けられ得るが、本開示の態様は、他のワイヤレス通信システムに適用可能であり得る。New radio (NR)とは、(たとえば、直交周波数分割多元接続(OFDMA)ベースのエアインターフェース以外の)新たなエアインターフェースまたは(たとえば、インターネットプロトコル(IP)以外の)固定されたトランスポートレイヤに従って動作するように構成された無線を指し得る。態様では、NRは、アップリンク上でCPを伴うOFDM(本明細書では、巡回プレフィックスOFDMまたはCP-OFDMと呼ばれる)および/またはSC-FDMを利用してよく、ダウンリンク上でCP-OFDMを利用し、TDDを使用する半二重動作に対するサポートを含んでもよい。態様では、NRは、アップリンク上で、たとえば、CPを伴うOFDM(本明細書では、CP-OFDMと呼ばれる)および/または離散フーリエ変換拡散直交周波数分割多重化(DFT-s-OFDM)を利用してよく、ダウンリンク上でCP-OFDMを利用し、TDDを使用する半二重動作に対するサポートを含んでもよい。NRは、広帯域幅(たとえば、80メガヘルツ(MHz)を超える)を対象とする拡張モバイルブロードバンド(eMBB)サービス、高いキャリア周波数(たとえば、60ギガヘルツ(GHz))を対象とするミリ波(mmW)、後方互換性がないMTC技法を対象とするマッシブMTC(mMTC)、および/または超高信頼低レイテンシ通信(URLLC)サービスを対象とするミッションクリティカルを含んでもよい。
【００５６】
いくつかの態様では、100MHzの単一のコンポーネントキャリア帯域幅がサポートされ得る。NRリソースブロックは、0.1ミリ秒(ms)の時間長にわたる、サブキャリア帯域幅が60または120キロヘルツ(kHz)の12個のサブキャリアにまたがり得る。各無線フレームは、長さが10msの40個のサブフレームを含んでもよい。したがって、各サブフレームは長さが0.25msであってもよい。各サブフレームは、データ送信のためのリンク方向(たとえば、DLまたはUL)を指示してよく、サブフレームごとのリンク方向は、動的に切り替えられてもよい。各サブフレームは、DL/ULデータならびにDL/UL制御データを含んでもよい。
【００５７】
ビームフォーミングがサポートされてもよく、ビーム方向が動的に構成されてもよい。プリコーディングを用いたMIMO送信も、サポートされてよい。DLにおけるMIMO構成は、最高で8つのストリームおよびUE当たり最高で2つのストリームのマルチレイヤDL送信とともに、最高で8つの送信アンテナをサポートしてもよい。UE当たり最高で2つのストリームを用いたマルチレイヤ送信がサポートされてもよい。複数のセルのアグリゲーションが、最大8つのサービングセルを用いてサポートされてもよい。代替として、NRは、OFDMベースのインターフェース以外の異なるエアインターフェースをサポートしてもよい。NRネットワークは、エンティティ、そのような中央ユニットまたは分散ユニットを含み得る。
【００５８】
上で示されたように、図1は単に例として与えられている。他の例が可能であり、図1に関して説明されたものとは異なり得る。
【００５９】
図2は、図1の基地局の1つであり得る基地局110、および図1のUEの1つであり得るUE120の設計のブロック図を示す。基地局110はT個のアンテナ234a〜234tを備えてもよく、UE120はR個のアンテナ252a〜252rを備えてもよく、ただし、一般にT≧1およびR≧1である。
【００６０】
基地局110において、送信プロセッサ220は、1つまたは複数のUEのためのデータをデータソース212から受信し、UEから受信されたチャネル品質インジケータ(CQI)に少なくとも一部基づいて、各UEに対する1つまたは複数の変調およびコーディング方式(MCS)を選択し、UEのために選択されたMCSに少なくとも一部基づいて、各UEのためにデータを処理(たとえば、符号化および変調)し、データシンボルをすべてのUEに提供し得る。送信プロセッサ220はまた、(たとえば、半静的リソース区分情報(SRPI:semi-static resource partitioning information)などのための)システム情報、および制御情報(たとえば、CQI要求、グラント、上位レイヤシグナリングなど)を処理し、オーバーヘッドシンボルおよび制御シンボルを提供し得る。送信プロセッサ220はまた、基準信号(たとえば、セル固有基準信号(CRS:cell-specific reference signal))および同期信号(たとえば、1次同期信号(PSS:primary synchronization signal)および2次同期信号(SSS:secondary synchronization signal))のための基準シンボルを生成し得る。送信(TX)多入力多出力(MIMO)プロセッサ230は、該当する場合、データシンボル、制御シンボル、オーバーヘッドシンボル、および/または基準シンボルに対して空間処理(たとえば、プリコーディング)を実行してもよく、T個の出力シンボルストリームをT個の変調器(MOD)232a〜232tに提供してもよい。各変調器232は、(たとえば、OFDMなどのために)それぞれの出力シンボルストリームを処理して出力サンプルストリームを取得し得る。各変調器232は、出力サンプルストリームをさらに処理(たとえば、アナログに変換、増幅、フィルタリング、およびアップコンバート)して、ダウンリンク信号を取得し得る。変調器232a〜232tからのT個のダウンリンク信号は、それぞれ、T個のアンテナ234a〜234tを介して送信され得る。以下でより詳細に説明されるいくつかの態様によれば、同期信号は、追加の情報を伝達するために、位置符号化を用いて生成され得る。
【００６１】
UE120において、アンテナ252a〜252rは、基地局110および/または他の基地局からダウンリンク信号を受信してもよく、それぞれ、受信された信号を復調器(DEMOD)254a〜254rに提供してもよい。各復調器254は、受信された信号を調整(たとえば、フィルタリング、増幅、ダウンコンバート、およびデジタル化)して、入力サンプルを取得し得る。各復調器254は、入力サンプルを(たとえば、OFDMなどのために)さらに処理して受信されたシンボルを取得し得る。MIMO検出器256は、すべてのR個の復調器254a〜254rから受信されるシンボルを取得し、該当する場合、受信されるシンボルに対してMIMO検出を実行し、検出されたシンボルを提供し得る。受信プロセッサ258は、検出されたシンボルを処理(たとえば、復調および復号)し、UE120のための復号されたデータをデータシンク260に提供し、復号された制御情報およびシステム情報をコントローラ/プロセッサ280に提供し得る。チャネルプロセッサは、基準信号受信電力(RSRP:reference signal received power)、受信信号強度インジケータ(RSSI:received signal strength indicator)、基準信号受信品質(RSRQ:reference signal received quality)、チャネル品質インジケータ(CQI)などを決定し得る。
【００６２】
アップリンク上では、UE120において、送信プロセッサ264は、データソース262からのデータ、およびコントローラ/プロセッサ280からの(たとえば、RSRP、RSSI、RSRQ、CQIなどを備える報告のための)制御情報を受信して処理し得る。送信プロセッサ264はまた、1つまたは複数の基準信号のための基準シンボルを生成し得る。送信プロセッサ264からのシンボルは、適用可能な場合、TX MIMOプロセッサ266によってプリコーディングされ、変調器254a〜254rによって(たとえば、DFT-s-OFDM、CP-OFDMなどのために)さらに処理され、基地局110へ送信され得る。基地局110において、UE120および他のUEからのアップリンク信号は、アンテナ234によって受信され、復調器232によって処理され、該当する場合、MIMO検出器236によって検出され、受信プロセッサ238によってさらに処理されて、UE120によって送信された復号されたデータおよび制御情報を取得し得る。受信プロセッサ238は、復号されたデータをデータシンク239に、かつ復号された制御情報をコントローラ/プロセッサ240に提供し得る。基地局110は、通信ユニット244を含み、通信ユニット244を介してネットワークコントローラ130に通信し得る。ネットワークコントローラ130は、通信ユニット294、コントローラ/プロセッサ290、およびメモリ292を含み得る。
【００６３】
いくつかの態様では、UE120の1つまたは複数の構成要素は、ハウジングに含まれ得る。基地局110のコントローラ/プロセッサ240、UE120のコントローラ/プロセッサ280、および/または図2の任意の他の構成要素は、本明細書の他の場所でより詳細に説明されるように、New Radioにおいてダウンリンク割当てインデックス(DAI)を使用することと関連付けられる1つまたは複数の技法を実行し得る。たとえば、基地局110のコントローラ/プロセッサ240、UE120のコントローラ/プロセッサ280、および/または図2の任意の他の構成要素は、たとえば、図6のプロセス600、図7のプロセス700、図8のプロセス800、図9のプロセス900、図10のプロセス1000、図11のプロセス1100、図12のプロセス1200、図13のプロセス1300、および/または本明細書で説明されるような他のプロセスの動作を実行または指示し得る。メモリ242および282は、それぞれ、基地局110およびUE120のためのデータおよびプログラムコードを記憶し得る。スケジューラ246は、ダウンリンク上および/またはアップリンク上のデータ送信のためにUEをスケジューリングし得る。
【００６４】
いくつかの態様では、UE120は、ダウンリンクグラント以外のDCIにおいて総DAIについてスロットを監視するための手段であって、総DAIがバンドリングウィンドウにおいてUE120に送信されるダウンリンクグラントの数を示す、手段、総DAIがUE120によって受信されたかどうかを決定するための手段、総DAIが受信されたかどうかに少なくとも一部基づいて、バンドリングウィンドウのためのACK/NACKフィードバックを選択的に送信するための手段などを含み得る。加えて、または代わりに、UE120は、総DAIについてバンドリングウィンドウの最後のスロットを監視するための手段であって、総DAIがバンドリングウィンドウにおいてUE120に送信されるダウンリンクグラントの数を示す、手段、総DAIがバンドリングウィンドウの最後のスロットにおいてUE120によって受信されたかどうかを決定するための手段、総DAIがバンドリングウィンドウの最後のスロットにおいて受信されたかどうかに少なくとも一部基づいて、バンドリングウィンドウのためのACK/NACKフィードバックを選択的に送信するための手段などを含み得る。いくつかの態様では、そのような手段は、図2に関して説明されるUE120の1つまたは複数の構成要素を含み得る。
【００６５】
加えて、または代わりに、UE120は、バンドリングウィンドウにおいて複数のUEの各々に送信されるダウンリンクグラントの数を示す複数の総DAIを含む、複数のUEと関連付けられる、共通のダウンリンク制御通信を受信するための手段、共通のダウンリンク制御通信から、UE120に対応する、複数の総DAIのうちのある総DAIを特定するための手段、総DAIに少なくとも一部基づいて、バンドリングウィンドウのためのACK/NACKフィードバックを送信するための手段などを含み得る。加えて、または代わりに、UE120は、UE120と関連付けられる複数のDAIグループに対応する複数の総DAIを含むアップリンクグラントを受信するための手段であって、複数のDAIグループの各々がキャリアアグリゲーションのためにUE120によって使用されるコンポーネントキャリアの異なるセットと関連付けられる、手段、アップリンクグラントに含まれる複数の総DAIに少なくとも一部基づいて、複数のDAIグループのためのACK/NACKフィードバックを送信するための手段などを含み得る。いくつかの態様では、そのような手段は、図2に関して説明されるUE120の1つまたは複数の構成要素を含み得る。
【００６６】
いくつかの態様では、基地局110は、バンドリングウィンドウの総DAIを決定するための手段であって、総DAIがバンドリングウィンドウにおいてUEに送信されるダウンリンクグラントの数を示す、手段、ダウンリンクグラント以外のDCIにおいて総DAIをUEに送信するための手段などを含み得る。加えて、または代わりに、基地局110は、バンドリングウィンドウの最後のスロットにおいてUEのためにダウンリンク割当てがスケジューリングされるべきであるかどうかを決定するための手段、ダウンリンク割当てがスケジューリングされるべきであるかどうかに少なくとも一部基づいて、バンドリングウィンドウの総DAIを決定するための手段であって、総DAIがバンドリングウィンドウにおいてUEに送信されるダウンリンクグラントの数を示す、手段、バンドリングウィンドウの最後のスロットにおいてダウンリンク割当てがスケジューリングされるべきであるかどうかにかかわらず、バンドリングウィンドウの最後のスロットにおいて総DAIを送信するための手段などを含み得る。いくつかの態様では、そのような手段は、図2に関して説明される基地局110の1つまたは複数の構成要素を含み得る。
【００６７】
加えて、または代わりに、基地局110は、バンドリングウィンドウにおいて複数のUEの各々に送信されるダウンリンクグラントの数に少なくとも一部基づいて、バンドリングウィンドウの複数の総DAIを決定するための手段、複数のUEと関連付けられる共通のダウンリンク制御通信において複数の総DAIを送信するための手段などを含み得る。加えて、または代わりに、基地局110は、UEと関連付けられる複数のDAIグループに対応する複数の総DAIを決定するための手段であって、複数のDAIグループの各々がキャリアアグリゲーションのためにUEによって使用されるコンポーネントキャリアの異なるセットと関連付けられる、手段、アップリンクグラントにおいて複数の総DAIをUEに送信するための手段などを含み得る。いくつかの態様では、そのような手段は、図2に関して説明される基地局110の1つまたは複数の構成要素を含み得る。
【００６８】
上で示されたように、図2は単に例として与えられている。他の例が可能であり、図2に関して説明されたものとは異なり得る。
【００６９】
図3は、本開示の様々な態様による、HARQ ACK/NACKフィードバックのためにダウンリンク割当てインデックスを使用することの例300を示す図である。
【００７０】
LTEにおいて、HARQ ACK/NACKフィードバックの多数から1つへのマッピングの問題を解決するために、ダウンリンク割当てインデックス(DAI)が導入された。DAIは、単一のPUCCH送信において(たとえば、多重化またはバンドリングされたHARQ ACK/NACKフィードバックにおいて)肯定応答または否定応答されるべき、スケジューリングされるトランスポートブロック(TB)の総サイズおよびインデックスに関する、基地局110とUE120との間の曖昧さを軽減するように設計されている。各々2ビットを伴うDAIカウンタ(累積DAIと呼ばれることがある)および合計DAI値という、2つのDCIフィールドが導入された。図3に示されるように、DAIカウンタは、最初に周波数において(たとえば、スロットにわたって)、次に時間において(たとえば、コンポーネントキャリア(CC)にわたって)累積し、DAIカウンタの2ビットに対応する0、1、2、または3の値をとる。観察されるDAIシーケンスにおける値をUE120が見逃すと、UE120は、ダウンリンクグラントが見逃されたと決定し、物理アップリンク制御チャネル(PUCCH)を介して送信されるHARQ ACK/NACKフィードバックにおいてNACKを報告する。2ビットのmodulo-4 DAIカウンタを用いると、このDAI機構は、あらゆる連続する3つの欠けているグラントに対してロバストであり、2ビットの総DAIフィールドを用いると、最後の少数のグラントを見逃すことによって引き起こされるPUCCHペイロードサイズの曖昧さの問題が解決され得る。
【００７１】
しかしながら、図5に関連して以下でより詳細に説明されるように、このDAI機構は、そのためのHARQ ACK/NACKフィードバックが一緒に報告される複数のダウンリンクグラントを含むバンドリングウィンドウの中の最後のダウンリンクグラントをUE120が見逃すとき、HARQ ACK/NACKフィードバックのサイズに関する曖昧さを基地局110とUE120との間にもたらし得る。この場合、UE120は、基地局110によって予想されるものとは異なる数のHARQ ACK/NACKビットを送信することがあり、これはエラーをもたらす。さらに、NRには、ロバストなHARQ ACK/NACKフィードバック機構の設計に他の課題があり、それらのうちの1つは、異なるダウンリンク割当てに対するTB当たりのコードブロックグループ(CBG)の数が異なり得ることであり、スロットおよび/またはCCにわたって、潜在的に異なるACK/NACKペイロードサイズをもたらす。この場合、複数のDAIカウンタは、異なるDAIグループのために使用されることがあり、HARQ ACK/NACKプロセスをさらに複雑にし、異なるDAIグループに対するHARQ ACK/NACKフィードバックのサイズに関する曖昧さの確率が基地局110とUE120との間で増す。本明細書で説明されるいくつかの技法および装置は、UE120がバンドリングウィンドウにおいて最後のダウンリンクグラントを見逃すとき、UE120が複数のDAIグループと関連付けられるときなどに、HARQ ACK/NACKフィードバックに関する基地局110とUE120との間での曖昧さを減らす、または除去する。
【００７２】
上で示されるように、図3は例として与えられる。他の例が可能であり、図3に関して説明されたこととは異なっていてもよい。
【００７３】
図4は、本開示の様々な態様による、HARQ ACK/NACKフィードバックのためにダウンリンク割当てインデックスを使用することの別の例400を示す図である。
【００７４】
NRでは、TBが1つまたは複数のコードブロックグループ(CBG)へと分割されることがあり、ここで、各CBGは大きいTBの再送信を防ぐために別々に肯定応答または否定応答される。いくつかの態様では、TB当たりのCBGの数は、無線リソース制御(RRC)構成などを使用して、動的にまたは準静的に構成され得る。TBのために送信されるHARQ ACK/NACKビットの数は、そのTBに対するCBGの数に等しくてよい。図3に関連して上で説明されるDAI機構を使用すると、UE120が欠けているグラントを検出できる場合であっても、UE120は、欠けているグラントに対する予想されるHARQ ACK/NACKペイロードサイズ(たとえば、ビットの数)を推測することが可能ではないことがある。この問題を解決するために、複数のDAIグループを使用することができ、ここで、各DAIグループは異なるHARQ ACK/NACKペイロードサイズに対して異なるDAIを使用する。
【００７５】
たとえば、図4に示されるように、複数のDAIグループ機構は、TBベースの再送信を用いて構成されるCC1およびCC4(たとえば、TB当たりのCBGの数は1である)と、TB当たりのCBGの数が4に等しいCBGベースの再送信を用いて構成されるCC2およびCC3とを含み得る。この場合、HARQ ACK/NACKフィードバックは、CC1およびCC4上で許可される各TBに対して1ビットを含み、HARQ ACK/NACKフィードバックは、CC2およびCC3上で許可される各TBに対して4ビットを含む。この場合、第1のDAIカウンタがCC1およびCC4のために使用され(薄い灰色で示されている)、第2のDAIカウンタはCC2およびCC3のために使用される(濃い灰色で示されている)。コンポーネントキャリアがデフォルトで有効にされるCBGを有する場合であっても、TBベースの送信を示すために基地局110が特定のスロットに対してフォールバックDCIを使用し得るので、CC3の中のスロット2はTBベースであるものとして標識されることに留意されたい(たとえば、いくつかの場合、CBG構成は動的に上書きされ得る)。複数のDAIカウンタを異なるDAIグループのために使用することは、HARQ ACK/NACKプロセスをさらに複雑にし、異なるDAIグループに対するHARQ ACK/NACKフィードバックのサイズに関する曖昧さの確率が基地局110とUE120との間で増す。本明細書で説明されるいくつかの技法および装置は、UE120がバンドリングウィンドウにおいて最後のダウンリンクグラントを見逃すとき、UE120が複数のDAIグループと関連付けられるときなどに、HARQ ACK/NACKフィードバックに関する基地局110とUE120との間での曖昧さを減らす、または除去する。
【００７６】
上で示されるように、図4は例として与えられる。他の例が可能であり、図4に関して説明されたことと異なってもよい。
【００７７】
図5は、本開示の様々な態様による、HARQ ACK/NACKフィードバックのためにバンドリングウィンドウを使用することの例500を示す図である。
【００７８】
NRでは、ダウンリンクグラントは、ダウンリンク割当て(たとえば、ダウンリンクグラントが受信されるスロット)と(たとえば、物理ダウンリンク共有チャネル(PDSCH)上の)対応するダウンリンク通信との間のタイミングを示し得る。たとえば、このタイミングは、DCIの中のフィールドによって示されてもよく、K0値と呼ばれてもよい。同様に、アップリンクグラントは、アップリンク割当てと対応するアップリンク通信との間のタイミングを示し得る。加えて、または代わりに、ダウンリンクグラントは、(たとえば、PDSCH上での)ダウンリンク通信の受信と、対応するACK/NACK指示(たとえば、ダウンリンク通信のためのHARQ ACK/NACKフィードバック)との間のタイミングを示し得る。たとえば、このタイミングは、DCIの中のフィールドによって示されてもよく、K1値と呼ばれてもよい。
【００７９】
参照番号505によって示されるように、スロット0においてUE120によって受信される、ダウンリンク通信(たとえば、PDSCH通信)は、2というK1値と関連付けられ得る。このK1値は、ダウンリンク通信に対応するHARQ ACK/NACKフィードバックがUE120によってその中で送信されるべき、後続のスロットを示し得る。たとえば、2というK1値は、ダウンリンク通信のためのHARQ ACK/NACKフィードバックが、ダウンリンク通信が受信されるスロットから2スロット後に(たとえば、スロット0から2スロット後に)存在すべきであることを示す。この場合、ダウンリンク通信はスロット0において受信され、2というK1値は、ダウンリンク通信のためのHARQ ACK/NACKフィードバックがスロット2において存在すべきであることを示す。
【００８０】
同様に、参照番号510によって示されるように、スロット2においてUE120によって受信される、ダウンリンク通信は、0というK1値と関連付けられ得る。0というこのK1値は、ダウンリンク通信のためのHARQ ACK/NACKフィードバックが、ダウンリンク通信が受信されるスロットから0スロット後に(たとえば、スロット2から0スロット後に)存在すべきであることを示す。言い換えれば、0というK1値は、ダウンリンク通信のためのHARQ ACK/NACKフィードバックがダウンリンク通信と同じスロットに存在すべきであることを示す。この場合、HARQ ACK/NACKフィードバックは即刻のHARQ ACK/NACKと呼ばれることがあり、それは、HARQ ACK/NACKフィードバックが対応するダウンリンク通信と同じスロットに存在するからである。
【００８１】
参照番号515によって示されるように、UE120は、スロット2のアップリンク部分において、スロット0とスロット2の両方で受信されるダウンリンク通信に対応する、HARQ ACK/NACKフィードバックを送信し得る。いくつかの態様では、HARQ ACK/NACKフィードバックは、バンドリングウィンドウのための多重化またはバンドリングされたHARQ ACK/NACK指示(たとえば、ACK/NACKビット)を含んでもよく、バンドリングウィンドウは、同じスロットにおいて肯定応答または否定応答されるべきダウンリンク通信のためのすべてのHARQ ACK/NACKフィードバックを含む。
【００８２】
本明細書で使用される場合、バンドリングウィンドウは、受信されたダウンリンク通信(たとえば、UE120によって受信されるスケジューリングされたPDSCH通信)および受信されないダウンリンク通信(たとえば、UE120によって受信されないスケジューリングされるPDSCH通信)を含む、スケジューリングされるダウンリンク通信(たとえば、PDSCH通信)のセットを伴うスロットのセットを含み得る。バンドリングウィンドウは、HARQ ACK/NACK多重化および/またはHARQ ACK/NACKバンドリングと関連付けられ得る。たとえば、バンドリングウィンドウはいくつかのスロットを含んでもよく、ここで、それらのスロットにおいて受信されるダウンリンク通信は、(たとえば、スロットまたはスロットの一部分などの、同じアップリンク送信時間間隔において)HARQ ACK/NACK多重化および/またはHARQ ACK/NACKバンドリングを使用して一緒に肯定応答または否定応答されることになる。いくつかの態様では、バンドリングウィンドウは、HARQ ACK/NACKフィードバックのための同じスロットを指し示すダウンリンクグラントを伴う複数のスロットを含み得る。たとえば、スロット2において報告されるHARQ ACK/NACKフィードバックのためのバンドリングウィンドウは、スロット0およびスロット2を含み得る。したがって、バンドリングウィンドウのサイズは、NRにおいて動的に構成されてもよく、連続的または非連続的なスロットを含んでもよい。
【００８３】
例500において、UE120がスロット2においてダウンリンクグラントを見逃した場合、UE120は、スロット2におけるダウンリンクグラントのためではなく、スロット0におけるダウンリンクグラントのためだけにHARQ ACK/NACKフィードバックを送信する。この場合、UE120は、UE120がスロット2においてダウンリンクグラントを見逃したので、ダウンリンクグラントがスロット2において見逃されたことを決定するためにスロット2からDAIを使用することが不可能であり、スロット2がダウンリンクグラントが送信されるバンドリングウィンドウの中の最後のスロットであるので、ダウンリンクグラントがスロット2において見逃されたことを決定するために任意の後続のスロットからDAIを使用することが不可能である。これは、基地局110がスロット0の中のダウンリンクグラントとスロット2の中のダウンリンクグラントの両方のためにHARQ ACK/NACKフィードバックを受信することを予想しているので、HARQ ACK/NACKフィードバックに関する基地局110とUE120との間の曖昧さにつながり、一方で、UE120は、スロット0においてダウンリンクグラントのためのHARQ ACK/NACKフィードバックだけを送信する(たとえば、UE120がスロット2の中のダウンリンクグラントを見逃し、このダウンリンクグラントが見逃されたと決定することが不可能であったので)。
【００８４】
本明細書で説明されるいくつかの技法および装置は、UE120がバンドリングウィンドウにおいて最後のダウンリンクグラントを見逃すとき、UE120が複数のDAIグループと関連付けられるときなどに、HARQ ACK/NACKフィードバックに関する基地局110とUE120との間での曖昧さを減らす、または除去する。
【００８５】
上で示されるように、図5は例として与えられる。他の例が可能であり、図5に関して説明されたことと異なってもよい。
【００８６】
いくつかの態様では、UE120がバンドリングウィンドウにおいて最後のダウンリンクグラントを見逃すとき、HARQ ACK/NACKフィードバックに関する基地局110とUE120との間での曖昧さを減らす、または除去するために、基地局110は、ダウンリンクグラント以外のDCIを使用して総DAIをシグナリングし得る。いくつかの態様では、UE120は、DCIが受信されるときだけACK/NACKフィードバックを送信してもよく、それにより、UE120がバンドリングウィンドウの中の最後のダウンリンクグラントを見逃すとき、ACK/NACKフィードバックに関する曖昧さを減らす、または除去する。いくつかの態様では、このDCIは、バンドリングウィンドウにおいてUE120に送信されるダウンリンクグラントの数の正確なカウントを提供するために、バンドリングウィンドウの最後のスロットにおいて送信され得る。UE120は、ダウンリンクグラントではない別個のDCIに含まれる総DAIについてバンドリングウィンドウの最後のスロットを監視してもよく、総DAIが最後のスロットにおいて受信されるときだけACK/NACKフィードバックを送信してもよく、それにより、UE120がバンドリングウィンドウの中の最後のダウンリンクグラントを見逃すとき、ACK/NACKフィードバックに関する曖昧さを減らす、または除去する。
【００８７】
図6のプロセス600および図7のプロセス700に関連して、追加の詳細が以下で与えられる。いくつかの態様では、プロセス600および/またはプロセス700は、UE120が物理アップリンク制御チャネル(PUCCH)を介してACK/NACKフィードバックを送信するときに使用され得る。
【００８８】
図6は、本開示の様々な態様による、たとえば基地局によって実行される例示的なプロセス600を示す図である。例示的なプロセス600は、基地局(たとえば、基地局110など)がNew RadioにおいてDAIを使用する例である。
【００８９】
図6に示されるように、いくつかの態様では、プロセス600は、バンドリングウィンドウの総ダウンリンク割当てインデックス(DAI)を決定することを含んでもよく、総DAIは、バンドリングウィンドウにおいてユーザ機器(UE)に送信されるダウンリンクグラントの数を示す(ブロック610)。たとえば、基地局は(たとえば、コントローラ/プロセッサ240などを使用して)、バンドリングウィンドウの総DAIを決定し得る。総DAIは、バンドリングウィンドウにおいてUEに送信されるダウンリンクグラントの数を示し得る。図5に関連して上で説明されたように、バンドリングウィンドウは、1つまたは複数のダウンリンクグラントにおいて受信される1つまたは複数のタイミング指示に少なくとも一部基づいて決定される動的なバンドリングウィンドウであり得る。
【００９０】
図6にさらに示されるように、いくつかの態様では、プロセス600は、ダウンリンクグラント以外のダウンリンク制御情報(DCI)において総DAIをUEに送信することを含み得る(ブロック620)。たとえば、基地局は(たとえば、送信プロセッサ220、TX MIMOプロセッサ230、MOD232、アンテナ234などを使用して)総DAIをUEに送信し得る。総DAIは、ダウンリンクグラント以外のDCIにおいて送信され得る。このようにして、UEは、バンドリングウィンドウの中の最後のダウンリンクグラントを見逃した場合であっても、バンドリングウィンドウにおいて送信されるダウンリンクグラントの数の正確なカウントを受信することができ(たとえば、バンドリングウィンドウはUEによって使用されるDAIを普通は含む)、それにより、UEと基地局との間のHARQ ACK/NACKの曖昧さを減らす、または除去する。
【００９１】
たとえば、UEがダウンリンクグラント以外のDCIの中の総DAIを見逃す場合、UEは、最初の機会において(たとえば、HARQ ACK/NACKフィードバックのためのバンドリングウィンドウにおいてダウンリンクグラントによって示されるスロットにおいて)HARQ ACK/NACKフィードバックが報告されるのを防ぎ得る。基地局がHARQ ACK/NACKフィードバックを予想されるように受信することに失敗するとき、基地局および/またはUEは再送信を協調させ得る(たとえば、基地局はUEのための1つまたは複数のダウンリンクグラントを再送信し得る)。
【００９２】
プロセス600は、以下で、および/または本明細書で説明される1つまたは複数の他のプロセスに関連して説明される、任意の単一の態様または態様の任意の組合せなどの、追加の態様を含み得る。
【００９３】
いくつかの態様では、総DAIは、バンドリングウィンドウの最後のスロットにおいて送信される。このことは、バンドリングウィンドウにおいて送信されるダウンリンクグラントの数の正確な指示を確実にし得る。いくつかの態様では、総DAIは、バンドリングウィンドウの最後のスロット以外のスロットにおいて送信される。この場合、総DAIは、バンドリングウィンドウにおいてUEに送信されるべきダウンリンクグラントの数の推定を含み得る。
【００９４】
いくつかの態様では、総DAIは、DCIにおいてUEに送信される複数の総DAIのうちの1つである。複数の総DAIは、UEと関連付けられる複数のDAIグループに対応し得る。図4に関連して上で説明されたように、複数のDAIグループの各々は、キャリアアグリゲーションのために使用されるコンポーネントキャリアの異なるセットと関連付けられ得る。このようにして、異なるDAIグループのためのHARQ ACK/NACKフィードバックに関するUEと基地局との間の曖昧さを、減らす、または除去することができる。
【００９５】
いくつかの態様では、総DAIは、2つより多くのビットを使用してDCIにおいて示される。たとえば、図3に関連して上で説明されたように、いくつかの態様では、ダウンリンクグラントに含まれるDAI値は、ダウンリンクグラントにおいて必要とされる他の情報(たとえば、K0値、K1値など)を示すのに十分なビットが残ることを確実にするために、2ビットに制限され得る。総DAIがダウンリンクグラント以外のDCIにおいて示されるとき、そのような制限を適用する必要はない。したがって、2つより多くのビットが総DAIのために使用されてもよく、よりロバストなHARQ ACK/NACK機構をもたらす。たとえば、ダウンリンクグラント以外のDCIの中の総DAIは、3ビット、4ビットなどを含み得る。
【００９６】
図6は、プロセス600の例示的なブロックを示すが、いくつかの態様では、プロセス600は、図6に図示されるブロックと比べて、追加のブロック、より少ないブロック、異なるブロック、または異なるように配置されたブロックを含んでもよい。加えて、または代わりに、プロセス600のブロックのうちの2つ以上が並列に実行されてよい。
【００９７】
図7は、本開示の様々な態様による、たとえば、UEによって実行される例示的なプロセス700を示す図である。例示的なプロセス700は、UE(たとえば、UE120など)がNew RadioにおいてDAIを使用する例である。
【００９８】
図7に示されるように、いくつかの態様では、プロセス700は、ダウンリンクグラント以外のダウンリンク制御情報(DCI)において総ダウンリンク割当てインデックス(DAI)についてスロットを監視するステップを含んでもよく、総DAIはバンドリングウィンドウにおいてUEに送信されるダウンリンクグラントの数を示す(ブロック710)。たとえば、UEは、ダウンリンクグラント以外のダウンリンク制御情報(DCI)において総DAIについてスロットを監視し得る(たとえば、アンテナ252、DEMOD254、MIMO検出器256、受信プロセッサ258などを使用して)。総DAIは、バンドリングウィンドウにおいてUEに送信されるダウンリンクグラントの数を示し得る。このようにして、図6に関連して上で説明されたように、UEは、UEがバンドリングウィンドウにおいて最後のダウンリンクグラントを見逃した場合であっても、バンドリングウィンドウにおいて送信されるダウンリンクグラントの数の正確なカウントを受信し得る。
【００９９】
図7にさらに示されるように、いくつかの態様では、プロセス700は、総DAIがUEによって受信されたかどうかを決定することを含み得る(ブロック720)。たとえば、UEは(たとえば、コントローラ/プロセッサ280などを使用して)、総DAIがUEによって受信されたかどうかを決定し得る。たとえば、UEは、総DAIを含む、ダウンリンクグラント以外のDCIをUEが受信したかどうかを決定し得る。
【０１００】
図7にさらに示されるように、いくつかの態様では、プロセス700は、総DAIが受信されたかどうかに少なくとも一部基づいて、バンドリングウィンドウのための肯定応答(ACK)または否定応答(NACK)(ACK/NACK)フィードバックを選択的に送信することを含み得る(ブロック730)。たとえば、UEは、総DAIが受信されたかどうかを決定したことに少なくとも一部基づいて、バンドリングウィンドウのためのACK/NACKフィードバックを選択的に送信し得る(たとえば、送信するかどうかを決定するためにコントローラ/プロセス280などを使用し、送信するために送信プロセッサ264、TX MIMOプロセッサ266、MOD254、アンテナ252などを使用して)。
【０１０１】
たとえば、総DAIがダウンリンクグラント以外のDCIにおいて受信された場合、UE(たとえば、コントローラ/プロセッサ280など)は、バンドリングウィンドウのためのACK/NACKフィードバックを送信するようにUEの1つまたは複数の構成要素(たとえば、送信プロセッサ264、TX MIMOプロセッサ266、MOD254、アンテナ252など)に命令し得る。代わりに、総DAIがダウンリンクグラント以外のDCIにおいて受信されなかった場合、UE(たとえば、コントローラ/プロセッサ280など)は、送信のためにUEの1つまたは複数の構成要素(たとえば、送信プロセッサ264、TX MIMOプロセッサ266、MOD254、アンテナ252など)へACK/NACKフィードバックを提供しなくてもよい。このようにして、UEは、曖昧な可能性のあるACK/NACKフィードバックの送信を防ぐことができる。
【０１０２】
プロセス700は、以下で、および/または本明細書で説明される1つまたは複数の他のプロセスに関連して説明される、任意の単一の態様または態様の任意の組合せなどの、追加の態様を含み得る。
【０１０３】
いくつかの態様では、最初のアップリンク機会におけるACK/NACKフィードバックの送信は、総DAIが受信されなかったとの決定に少なくとも一部基づいて防がれる。いくつかの態様では、ACK/NACKフィードバックは、総DAIが受信されたとの決定に少なくとも一部基づいて、最初のアップリンク機会において送信される。たとえば、UEがダウンリンクグラント以外のDCIの中の総DAIを見逃す場合、UEは、最初の機会において(たとえば、HARQ ACK/NACKフィードバックのためのバンドリングウィンドウにおいてダウンリンクグラントによって示されるスロットにおいて)HARQ ACK/NACKフィードバックが報告されるのを防ぎ得る。基地局がHARQ ACK/NACKフィードバックを予想されるように受信することに失敗するとき、基地局および/またはUEは再送信を協調させ得る(たとえば、基地局はUEのための1つまたは複数のダウンリンクグラントを再送信し得る)。
【０１０４】
いくつかの態様では、スロットは、バンドリングウィンドウの最後のスロットである。このことは、バンドリングウィンドウにおいて送信されるダウンリンクグラントの数の正確な指示を確実にし得る。いくつかの態様では、スロットは、バンドリングウィンドウの最後のスロットではない。いくつかの態様では、総DAIは、バンドリングウィンドウにおいてUEに送信されるべきダウンリンクグラントの数の推定を含む。
【０１０５】
いくつかの態様では、総DAIは、DCIにおいて示される複数の総DAIのうちの1つであり、複数の総DAIは、UEと関連付けられる複数のDAIグループに対応し、複数のDAIグループの各々は、キャリアアグリゲーションのために使用されるコンポーネントキャリアの異なるセットと関連付けられる。このようにして、図6に関連して上で説明されたように、異なるDAIグループのためのHARQ ACK/NACKフィードバックに関するUEと基地局との間での曖昧さを、減らす、または除去することができる。
【０１０６】
いくつかの態様では、総DAIは、2つより多くのビットを使用してDCIにおいて示される。このようにして、図6に関連して上で説明されたように、HARQ ACK/NACK機構はよりロバストであり得る。
【０１０７】
図7は、プロセス700の例示的なブロックを示すが、いくつかの態様では、プロセス700は、図7に図示されるブロックと比べて、追加のブロック、より少ないブロック、異なるブロック、または異なるように配置されたブロックを含んでもよい。加えて、または代わりに、プロセス700のブロックのうちの2つ以上が並列に実行されてよい。
【０１０８】
いくつかの態様では、UE120がバンドリングウィンドウにおいて最後のダウンリンクグラントを見逃すとき、HARQ ACK/NACKフィードバックに関する基地局110とUE120との間での曖昧さを減らす、または除去するために、基地局110は、バンドリングウィンドウの最後のスロットにおいて送信されるダウンリンクグラントを使用して総DAIをシグナリングしてもよく、それにより、バンドリングウィンドウにおいてUE120に送信されるダウンリンクグラントの数の正確なカウントを提供する。UE120は、総DAIについてバンドリングウィンドウの最後のスロットを監視してもよく、ダウンリンクグラントが最後のスロットにおいて受信されるときだけACK/NACKフィードバックを送信してもよく、それにより、ACK/NACKフィードバックに関する曖昧さを減らす、または除去する。いくつかの態様では、ダウンリンクグラントは、総DAIに加えて、UE120のためのダウンリンク割当てを含み得る。いくつかの態様では、ダウンリンクグラントは、UE120のためのダウンリンク割当てを含まなくてもよく(たとえば、ダミーダウンリンクグラントであってもよく)、総DAIだけを含んでもよい。
【０１０９】
図8のプロセス800および図9のプロセス900に関連して、追加の詳細が以下で与えられる。いくつかの態様では、プロセス800および/またはプロセス900は、UE120が物理アップリンク制御チャネル(PUCCH)を介してACK/NACKフィードバックを送信するときに使用され得る。
【０１１０】
図8は、本開示の様々な態様による、たとえば基地局によって実行される例示的なプロセス800を示す図である。例示的なプロセス800は、基地局(たとえば、基地局110など)がNew RadioにおいてDAIを使用する例である。
【０１１１】
図8に示されるように、いくつかの態様では、プロセス800は、バンドリングウィンドウの最後のスロットにおいてユーザ機器(UE)のためにダウンリンク割当てがスケジューリングされるべきであるかどうかを決定することを含み得る(ブロック810)。たとえば、基地局は(たとえば、コントローラ/プロセッサ240などを使用して)、バンドリングウィンドウの最後のスロットにおいてUEのためにダウンリンク割当てがスケジューリングされるかどうかを決定し得る。
【０１１２】
図8にさらに示されるように、いくつかの態様では、プロセス800は、ダウンリンク割当てがスケジューリングされるべきであるかどうかに少なくとも一部基づいて、バンドリングウィンドウの総ダウンリンク割当てインデックス(DAI)を決定することを含んでもよく、総DAIは、バンドリングウィンドウにおいてUEに送信されるダウンリンクグラントの数を示す(ブロック820)。たとえば、基地局は(たとえば、コントローラ/プロセッサ240などを使用して)、ダウンリンク割当てがスケジューリングされるべきであるかどうかに少なくとも一部基づいて、バンドリングウィンドウの総DAIを決定し得る。総DAIは、バンドリングウィンドウにおいてUEに送信されるダウンリンクグラントの数を示し得る。したがって、総DAIは、ダウンリンク割当てがバンドリングウィンドウの最後のスロットにおいてUEのためにスケジューリングされるべきである場合には(たとえば、以前に送信された総DAIから)インクリメントされてもよく、ダウンリンク割当てがバンドリングウィンドウの最後のスロットにおいてUEのためにスケジューリングされるべきではない場合、インクリメントされなくてもよい。
【０１１３】
図8にさらに示されるように、いくつかの態様では、プロセス800は、ダウンリンク割当てがバンドリングウィンドウの最後のスロットにおいてスケジューリングされるべきであるかどうかにかかわらず、バンドリングウィンドウの最後のスロットにおいて総DAIを送信することを含み得る(ブロック830)。たとえば、基地局は、ダウンリンク割当てがバンドリングウィンドウの最後のスロットにおいてスケジューリングされるべきであるかどうかにかかわらず、バンドリングウィンドウの最後のスロットにおいて総DAIを送信し得る(たとえば、送信プロセッサ220、TX MIMOプロセッサ230、MOD232、アンテナ234などを使用して)。このようにして、基地局は、バンドリングウィンドウの最後のスロットの後にバンドリングウィンドウのためにダウンリンクグラントがUEへ送信されないので、バンドリングウィンドウにおいてUEに送信されるダウンリンクグラントの数の正確な指示をUEが有することを保証することができる。
【０１１４】
プロセス800は、以下で、および/または本明細書で説明される1つまたは複数の他のプロセスに関連して説明される、任意の単一の態様または態様の任意の組合せなどの、追加の態様を含み得る。
【０１１５】
いくつかの態様では、総DAIは、ダウンリンク割当てがバンドリングウィンドウの最後のスロットにおいてUEのためにスケジューリングされるべきであるという決定に少なくとも一部基づいて、バンドリングウィンドウの最後のスロットにおいてUEのためのダウンリンク割当てをスケジューリングする、ダウンリンクグラントにおいて送信される。たとえば、総DAIは、ダウンリンク割当て情報(たとえば、K0値、K1値など)を含むダウンリンクグラントにおいて送信され得る。この場合(たとえば、ダウンリンク割当てがバンドリングウィンドウの最後のスロットにおいてUEのためにスケジューリングされるべきであるとき)、総DAIは、UEのための直近に送信された総DAIとは異なることがある。たとえば、最後のスロットの中のダウンリンクグラントにおいて送信される総DAIは、UEのための直近に送信された総DAI(たとえば、バンドリングウィンドウの前のスロットにおいて送信された)からインクリメントされることがある。
【０１１６】
いくつかの態様では、総DAIは、ダウンリンク割当てがバンドリングウィンドウの最後のスロットにおいてUEのためにスケジューリングされるべきでではないという決定に少なくとも一部基づいて、UEのためのダウンリンク割当てをスケジューリングしないダミーダウンリンクグラントにおいて送信される。たとえば、総DAIは、ダウンリンク割当て情報を含まない(たとえば、K0値、K1値などを含まない)ダミーダウンリンクグラントにおいて送信され得る。加えて、または代わりに、図6および図7に関連して上で説明されたように、総DAIはダウンリンクグラント以外のDCIにおいて送信され得る。この場合(たとえば、ダウンリンク割当てがバンドリングウィンドウの最後のスロットにおいてUEのためにスケジューリングされるべきではないとき)、総DAIは、UEのための直近に送信された総DAIと同じであり得る。たとえば、最後のスロットの中のダミーダウンリンクグラントにおいて送信される総DAIは、UEのための直近に送信された総DAI(たとえば、バンドリングウィンドウの前のスロットにおいて送信された)からインクリメントされないことがある。
【０１１７】
いくつかの態様では、総DAIは、バンドリングウィンドウの最後のスロットにおいてUEに送信される複数の総DAIのうちの1つである。図4に関連して上で説明されたように、複数の総DAIはUEと関連付けられる複数のDAIグループに対応してもよく、複数のDAIグループの各々は、キャリアアグリゲーションのために使用されるコンポーネントキャリアの異なるセットと関連付けられてもよい。このようにして、異なるDAIグループのためのHARQ ACK/NACKフィードバックに関するUEと基地局との間の曖昧さを、減らす、または除去することができる。
【０１１８】
図8は、プロセス800の例示的なブロックを示すが、いくつかの態様では、プロセス800は、図8に図示されるブロックと比べて、追加のブロック、より少ないブロック、異なるブロック、または異なるように配置されたブロックを含んでもよい。加えて、または代わりに、プロセス800のブロックのうちの2つ以上が並列に実行されてよい。
【０１１９】
図9は、本開示の様々な態様による、たとえば、UEによって実行される例示的なプロセス900を示す図である。例示的なプロセス900は、UE(たとえば、UE120など)がNew RadioにおいてDAIを使用する例である。
【０１２０】
図9に示されるように、いくつかの態様では、プロセス900は、総ダウンリンク割当てインデックス(DAI)についてバンドリングウィンドウの最後のスロットを監視することを含んでもよく、総DAIはバンドリングウィンドウにおいてUEに送信されるダウンリンクグラントの数を示す(ブロック910)。たとえば、UEは、総DAIについてバンドリングウィンドウの最後のスロットを監視し得る(たとえば、アンテナ252、DEMOD254、MIMO検出器256、受信プロセッサ258などを使用して)。総DAIは、バンドリングウィンドウにおいてUEに送信されるダウンリンクグラントの数を示し得る。
【０１２１】
図9にさらに示されるように、いくつかの態様では、プロセス900は、総DAIがバンドリングウィンドウの最後のスロットにおいてUEによって受信されたかどうかを決定することを含み得る(ブロック920)。たとえば、UEは(たとえば、コントローラ/プロセッサ280などを使用して)、バンドリングウィンドウの最後のスロットにおいて総DAIがUEによって受信されたかどうかを決定し得る。
【０１２２】
図9にさらに示されるように、いくつかの態様では、プロセス900は、総DAIがバンドリングウィンドウの最後のスロットにおいて受信されたかどうかに少なくとも一部基づいて、バンドリングウィンドウのための肯定応答(ACK)または否定応答(NACK)(ACK/NACK)フィードバックを選択的に送信することを含み得る(ブロック930)。たとえば、UEは、総DAIがバンドリングウィンドウの最後のスロットにおいて受信されたかどうかを決定したことに少なくとも一部基づいて、バンドリングウィンドウのためのACK/NACKフィードバックを選択的に送信し得る(たとえば、送信するかどうかを決定するためにコントローラ/プロセッサ280などを使用し、送信するために送信プロセッサ264、TX MIMOプロセッサ266、MOD254、アンテナ252などを使用して)。
【０１２３】
たとえば、総DAIがバンドリングウィンドウの最後のスロットにおいて受信された場合、UE(たとえば、コントローラ/プロセッサ280など)は、バンドリングウィンドウのためのACK/NACKフィードバックを送信するようにUEの1つまたは複数の構成要素(たとえば、送信プロセッサ264、TX MIMOプロセッサ266、MOD254、アンテナ252など)に命令し得る。代わりに、総DAIがバンドリングウィンドウの最後のスロットにおいて受信されなかった場合、UE(たとえば、コントローラ/プロセッサ280など)は、送信のためにUEの1つまたは複数の構成要素(たとえば、送信プロセッサ264、TX MIMOプロセッサ266、MOD254、アンテナ252など)へACK/NACKフィードバックを提供しなくてもよい。このようにして、UEは、曖昧な可能性のあるACK/NACKフィードバックの送信を防ぐことができる。
【０１２４】
プロセス900は、以下で、および/または本明細書で説明される1つまたは複数の他のプロセスに関連して説明される、任意の単一の態様または態様の任意の組合せなどの、追加の態様を含み得る。
【０１２５】
いくつかの態様では、最初のアップリンク機会におけるACK/NACKフィードバックの送信は、総DAIがバンドリングウィンドウの最後のスロットにおいて受信されなかったとの決定に少なくとも一部基づいて防がれる。いくつかの態様ではACK/NACKフィードバックは、総DAIがバンドリングウィンドウの最後のスロットにおいて受信されたとの決定に少なくとも一部基づいて、最初のアップリンク機会において送信される。たとえば、UEがバンドリングウィンドウの最後のスロットの中の総DAIを見逃す場合、UEは、最初の機会において(たとえば、HARQ ACK/NACKフィードバックのためのバンドリングウィンドウの中のダウンリンクグラントによって示されるスロットにおいて)HARQ ACK/NACKフィードバックが報告されるのを防ぎ得る。基地局がHARQ ACK/NACKフィードバックを予想されるように受信することに失敗するとき、基地局および/またはUEは再送信を協調させ得る(たとえば、基地局はUEのための1つまたは複数のダウンリンクグラントを再送信し得る)。
【０１２６】
いくつかの態様では、総DAIは、バンドリングウィンドウの最後のスロットにおいてUEのためのダウンリンク割当てをスケジューリングするダウンリンクグラントにおいて受信される。いくつかの態様では、総DAIは、UEのためのダウンリンク割当てをスケジューリングしないダミーダウンリンクグラントにおいて受信される。
【０１２７】
いくつかの態様では、総DAIは、バンドリングウィンドウの最後のスロットにおいて示される複数の総DAIのうちの1つであり、複数の総DAIは、UEと関連付けられる複数のDAIグループに対応し、複数のDAIグループの各々は、キャリアアグリゲーションのために使用されるコンポーネントキャリアの異なるセットと関連付けられる。このようにして、異なるDAIグループのためのHARQ ACK/NACKフィードバックに関するUEと基地局との間の曖昧さを、減らす、または除去することができる。
【０１２８】
図9は、プロセス900の例示的なブロックを示すが、いくつかの態様では、プロセス900は、図9に図示されるブロックと比べて、追加のブロック、より少ないブロック、異なるブロック、または異なるように配置されたブロックを含んでもよい。加えて、または代わりに、プロセス900のブロックのうちの2つ以上が並列に実行されてよい。
【０１２９】
いくつかの態様では、UE120がバンドリングウィンドウにおいて最後のダウンリンクグラントを見逃すとき、HARQ ACK/NACKフィードバックに関する基地局110とUE120との間での曖昧さを減らす、または除去するために、基地局110は、複数のUE120と関連付けられる共通のダウンリンク制御通信(たとえば、グループ共通PDCCH通信)を使用して総DAIをシグナリングし得る。このようにして、ネットワークリソースは、異なるUE120に対応する異なる総DAIを示すために共通のダウンリンク制御通信を使用することによって節約され得る。
【０１３０】
図10のプロセス1000および図11のプロセス1100に関連して、追加の詳細が以下で与えられる。いくつかの態様では、プロセス1000および/またはプロセス1100は、UE120が物理アップリンク制御チャネル(PUCCH)を介してACK/NACKフィードバックを送信するときに使用され得る。
【０１３１】
図10は、本開示の様々な態様による、たとえば基地局によって実行される例示的なプロセス1000を示す図である。例示的なプロセス1000は、基地局(たとえば、基地局110など)がNew RadioにおいてDAIを使用する例である。
【０１３２】
図10に示されるように、いくつかの態様では、プロセス1000は、バンドリングウィンドウにおいて複数のユーザ機器(UE)の各々に送信されるダウンリンクグラントの数に少なくとも一部基づいて、バンドリングウィンドウのための複数の総ダウンリンク割当てインデックス(DAI)を決定することを含み得る(ブロック1010)。たとえば、基地局は(たとえば、コントローラ/プロセッサ240などを使用して)、バンドリングウィンドウにおいて複数のユーザ機器(UE)の各々に送信されるダウンリンクグラントの数に少なくとも一部基づいて、バンドリングウィンドウのための複数の総DAIを決定し得る(たとえば、コントローラ/プロセッサ240などを使用して)。たとえば、基地局は、第1のUEのための第1の総DAIを決定してもよく、第2のUEのための第2の総DAIを決定してもよい、などである。以下で説明されるように、基地局は、同じ共通のダウンリンク制御通信を使用して、制御情報(たとえば、電力制御コマンド、総DAIなど)を複数のUEに送信し得る。
【０１３３】
図10にさらに示されるように、いくつかの態様では、プロセス1000は、複数のUEと関連付けられる共通のダウンリンク制御通信において複数の総DAIを送信することを含み得る(ブロック1020)。たとえば、基地局は(たとえば、送信プロセッサ220、TX MIMOプロセッサ230、MOD232、アンテナ234などを使用して)、複数のUEと関連付けられる共通のダウンリンク制御通信において複数の総DAIを送信し得る。いくつかの態様では、共通のダウンリンク制御通信は、グループ共通物理ダウンリンク制御チャネル(PDCCH)通信である。
【０１３４】
プロセス1000は、以下で、および/または本明細書で説明される1つまたは複数の他のプロセスに関連して説明される、任意の単一の態様または態様の任意の組合せなどの、追加の態様を含み得る。
【０１３５】
いくつかの態様では、共通のダウンリンク制御通信は、複数の総DAIを示すための複数のフィールドを含む。このようにして、UEは、UEに対応する総DAIを一意に特定することができる。
【０１３６】
いくつかの態様では、複数の総DAIのうちのある総DAIがその中で示されるべき共通のダウンリンク制御通信のフィールドは、総DAIに対応するUEと関連付けられるハッシュ値に少なくとも一部基づいて決定される。たとえば、UEは、共通のダウンリンク制御通信のどのDAIフィールドがUEのための総DAIを含むかを特定するために、ハッシュ値(たとえば、UE識別子、UEに割り当てられるインデックスなど)を使用し得る。基地局は、UEによって使用されるハッシュ値を記憶してもよく、ハッシュ値を使用してUEが特定するであろうDAIフィールドへと総DAIを挿入してもよい。
【０１３７】
いくつかの態様では、複数の総DAIは、単一のUEと関連付けられる総DAIのセットを含み、総DAIのセットの中の各々の総DAIは、キャリアアグリゲーションのために単一のUEによって使用されるコンポーネントキャリアの異なるセットと関連付けられる。たとえば、共通のダウンリンク制御通信のDAIフィールドは、UEのための特定のDAIグループに対応する総DAIを含み得る。この場合、共通のダウンリンク制御通信は、単一のUEのために複数の総DAIを含んでもよく、ここで、複数の総DAIはUEの異なるDAIグループに対応する。したがって、いくつかの態様では、共通のダウンリンク制御通信に含まれるDAIフィールドの数は、共通のダウンリンク制御通信と関連付けられるUEの数より多くてもよい。いくつかの態様では、DAIフィールドは、2つのUEが総DAIを共有するとき、2つのUEが少なくとも1つのDAIグループのための総DAIを共有するときなどに、複数のUEに対して再使用されてもよい。
【０１３８】
いくつかの態様では、総DAIのセットがその中で示されるべきである共通のダウンリンク制御通信のフィールドのセットは、単一のUEと関連付けられるハッシュ値のセットに少なくとも一部基づいて決定される。たとえば、UEは、共通のダウンリンク制御通信のどのDAIフィールドがUEのDAIグループのための総DAIを含むかを特定するために、ハッシュ値のセット(たとえば、UE識別子、UEに割り当てられるインデックスなどに少なくとも一部基づいて決定される)を使用し得る。基地局は、UEによって使用されるハッシュ値のセットを決定してもよく、ハッシュ値のセットを使用してUEが特定するであろうDAIフィールドへと総DAIを挿入してもよい。
【０１３９】
いくつかの態様では、共通のダウンリンク制御通信のフィールドは、少なくとも2つのUEがそのフィールドに対してハッシュするという決定に少なくとも一部基づいて、少なくとも2つのUEの最大の総DAIを示すように構成される。たとえば、いくつかの場合、複数のUEは、共通のダウンリンク制御通信の同じDAIフィールドに対してハッシュすることがある。基地局は、このシナリオを特定してもよく、複数のUEと関連付けられる最大の総DAIを決定してもよく(たとえば、複数のUEと関連付けられる総DAIを比較することによって)、複数のUEがそれに対してハッシュするであろうDAIフィールドへと最大の総DAIを挿入してもよい。この場合、最大の総DAIによって示されるものより少数のグラントを受信したUEは、追加のビットに対するNACKを示してもよく、基地局は、これらのACKビットを無視してもよい(たとえば、最初のダウンリンクグラントがUEのために決して送信されなかったので、UEに対するダウンリンクグラントを再送信しなくてもよい)。
【０１４０】
図10は、プロセス1000の例示的なブロックを示すが、いくつかの態様では、プロセス1000は、図10に図示されるブロックと比べて、追加のブロック、より少ないブロック、異なるブロック、または異なるように配置されたブロックを含んでもよい。加えて、または代わりに、プロセス1000のブロックのうちの2つ以上が並列に実行されてよい。
【０１４１】
図11は、本開示の様々な態様による、たとえば、UEによって実行される例示的なプロセス1100を示す図である。例示的なプロセス1100は、UE(たとえば、UE120など)がNew RadioにおいてDAIを使用する例である。
【０１４２】
図11に示されるように、いくつかの態様では、プロセス1100は、バンドリングウィンドウにおいて複数のUEの各々に送信されるダウンリンクグラントの数を示す複数の総ダウンリンク割当てインデックス(DAI)を含む、複数のユーザ機器(UE)と関連付けられる、共通のダウンリンク制御通信を受信することを含み得る(ブロック1110)。たとえば、UEは(たとえば、アンテナ252、DEMOD254、MIMO検出器256、受信プロセッサ258、コントローラ/プロセッサ280などを使用して)、複数のUEと関連付けられる共通のダウンリンク制御通信を受信し得る。図10に関連して上で説明されたように、共通のダウンリンク制御通信は、バンドリングウィンドウにおいて複数のUEの各々に送信されるダウンリンクグラントの数を示す複数の総DAIを含み得る。いくつかの態様では、共通のダウンリンク制御通信は、グループ共通物理ダウンリンク制御チャネル(PDCCH)通信である。
【０１４３】
図11にさらに示されるように、いくつかの態様では、プロセス1100は、共通のダウンリンク制御通信から、UEに対応する、複数の総DAIのうちのある総DAIを特定することを含み得る(ブロック1120)。たとえば、UEは、共通のダウンリンク制御通信から、UEに対応する、複数の総DAIのうちのある総DAIを特定し得る(たとえば、コントローラ/プロセッサ280などを使用して)。
【０１４４】
図11にさらに示されるように、いくつかの態様では、プロセス1100は、総DAIに少なくとも一部基づいて、バンドリングウィンドウのための肯定応答(ACK)または否定応答(NACK)(ACK/NACK)フィードバックを送信することを含み得る(ブロック1130)。たとえば、UEは、総DAIに少なくとも一部基づいて、共通のダウンリンク制御通信において、UEに対応する、バンドリングウィンドウのためのACK/NACKフィードバックを選択的に送信し得る(たとえば、送信するかどうかを決定するためにコントローラ/プロセス280などを使用し、送信するために送信プロセッサ264、TX MIMOプロセッサ266、MOD254、アンテナ252などを使用して)。たとえば、UEは、総DAIによって示されるビットの数を使用して、バンドリングウィンドウのためのACK/NACKフィードバックを送信し得る。
【０１４５】
プロセス1100は、以下で、および/または本明細書で説明される1つまたは複数の他のプロセスに関連して説明される、任意の単一の態様または態様の任意の組合せなどの、追加の態様を含み得る。
【０１４６】
いくつかの態様では、共通のダウンリンク制御通信は、複数の総DAIを示すための複数のフィールドを含む。いくつかの態様では、図10に関連して上で説明されたように、総DAIは、総DAIがその中で示される共通のダウンリンク制御通信のフィールドに対してハッシュする、UEと関連付けられるハッシュ値を使用して特定される。
【０１４７】
いくつかの態様では、図10に関連して上で説明されたように、複数の総DAIは、UEと関連付けられる総DAIのセットを含み、総DAIのセットの中の各々の総DAIは、キャリアアグリゲーションのためにUEによって使用されるコンポーネントキャリアの異なるセットと関連付けられる。いくつかの態様では、図10に関連して上で説明されたように、総DAIのセットは、総DAIのセットがその中で示される共通のダウンリンク制御通信のフィールドのセットに対してハッシュする、UEと関連付けられるハッシュ値のセットを使用してUEによって特定される。
【０１４８】
いくつかの態様では、共通のダウンリンク制御通信が受信される第1のスロットは、第1のスロットと、UEがアップリンク制御通信を送信すべきである第2のスロットとの間の、タイミング関係に少なくとも一部基づいて決定される。たとえば、UEは、UEがバンドリングウィンドウのためのHARQ ACK/NACKフィードバックを報告するためにアップリンク制御通信を送信すべきスロット(たとえば、X)を決定してもよく、共通のダウンリンク制御通信についてUEによって監視されるべき別のスロット(たとえば、X-1)を決定してもよい。いくつかの態様では、タイミング関係は、RRC構成を使用して構成され得る。このようにして、UEは、適切なスロットだけにおいて共通のダウンリンク制御通信について監視することによって、リソースを節約することができる。
【０１４９】
図11は、プロセス1100の例示的なブロックを示すが、いくつかの態様では、プロセス1100は、図11に図示されるブロックと比べて、追加のブロック、より少ないブロック、異なるブロック、または異なるように配置されたブロックを含んでもよい。加えて、または代わりに、プロセス1100のブロックのうちの2つ以上が並列に実行されてよい。
【０１５０】
いくつかの態様では、複数のDAIグループのためのHARQ ACK/NACKフィードバックのシグナリングを許可するために、基地局110は、アップリンクグラントにおいて、複数のグループに対応する複数の総DAIをシグナリングし得る。このようにして、UE120の異なるDAIグループに対応する異なる総DAIを示すために単一のアップリンクグラントを使用することによって、ネットワークリソースを節約することができ、複数のDAIグループを使用することと関連付けられるACK/NACKの曖昧さを、減らす、または除去することができる。
【０１５１】
図12のプロセス1200および図13のプロセス1300に関連して、追加の詳細が以下で与えられる。いくつかの態様では、プロセス1200および/またはプロセス1300は、アップリンク制御情報がPUSCHにピギーバックされるときなどの、UE120が物理アップリンク共有チャネル(PUSCH)を介してACK/NACKフィードバックを送信するときに、使用され得る。
【０１５２】
図12は、本開示の様々な態様による、たとえば基地局によって実行される例示的なプロセス1200を示す図である。例示的なプロセス1200は、基地局(たとえば、基地局110など)がNew RadioにおいてDAIを使用する例である。
【０１５３】
図12に示されるように、いくつかの態様では、プロセス1200は、ユーザ機器(UE)と関連付けられる複数のダウンリンク割当てインデックス(DAI)グループに対応する複数の総DAIを決定するステップを含んでもよく、複数のDAIグループの各々は、キャリアアグリゲーションのためにUEによって使用されるコンポーネントキャリアの異なるセットと関連付けられる(ブロック1210)。たとえば、基地局は(たとえば、コントローラ/プロセッサ240などを使用して)、UEと関連付けられる複数のDAIグループに対応する複数の総DAIを決定し得る。いくつかの態様では、図4に関連して上で説明されたように、各DAIグループは、キャリアアグリゲーションのためにUEによって使用されるコンポーネントキャリアの異なるセットと関連付けられる。たとえば、基地局は、UEの第1のDAIグループのための第1の総DAIを決定してもよく、UEの第2のDAIグループのための第2の総DAIを決定してもよい、などである。
【０１５４】
図12にさらに示されるように、いくつかの態様では、プロセス1200は、アップリンクグラントにおいて複数の総DAIをUEに送信することを含み得る(ブロック1220)。たとえば、基地局は(たとえば、送信プロセッサ220、TX MIMOプロセッサ230、MOD232、アンテナ234などを使用して)、アップリンクグラントにおいて複数の総DAIをUEに送信し得る。
【０１５５】
プロセス1200は、以下で、および/または本明細書で説明される1つまたは複数の他のプロセスに関連して説明される、任意の単一の態様または態様の任意の組合せなどの、追加の態様を含み得る。
【０１５６】
いくつかの態様では、複数の総DAIは、アップリンクグラントの異なるフィールドにおいて示される。いくつかの態様では、アップリンクグラントは、アップリンク制御情報がそのアップリンクデータチャネルを介してピギーバックされるアップリンクデータチャネルに対するものであり得る。たとえば、アップリンクグラントはPUSCHに対するものであり得る。このようにして、UEがPUSCHを介して異なるDAIグループのためのHARQ ACK/NACKフィードバックを送信すべきであるとき、アップリンクグラントは、異なるDAIグループのための総DAIを示してもよく、それにより、異なるDAIグループのためのHARQ ACK/NACKフィードバックに関する、UEと基地局との間での曖昧さを減らす、または除去する。
【０１５７】
図12は、プロセス1200の例示的なブロックを示すが、いくつかの態様では、プロセス1200は、図12に図示されるブロックと比べて、追加のブロック、より少ないブロック、異なるブロック、または異なるように配置されたブロックを含んでもよい。加えて、または代わりに、プロセス1200のブロックのうちの2つ以上が並列に実行されてよい。
【０１５８】
図13は、本開示の様々な態様による、たとえば、UEによって実行される例示的なプロセス1300を示す図である。例示的なプロセス1300は、UE(たとえば、UE120など)がNew RadioにおいてDAIを使用する例である。
【０１５９】
図13に示されるように、いくつかの態様では、プロセス1300は、UEと関連付けられる複数のDAIグループに対応する複数の総ダウンリンク割当てインデックス(DAI)を含むアップリンクグラントを受信するステップを含んでもよく、複数のDAIグループの各々は、キャリアアグリゲーションのためにUEによって使用されるコンポーネントキャリアの異なるセットと関連付けられる(ブロック1310)。たとえば、UEは(たとえば、アンテナ252、DEMOD254、MIMO検出器256、受信プロセッサ258、コントローラ/プロセッサ280などを使用して)、UEと関連付けられる複数のDAIグループに対応する複数の総DAIを含むアップリンクグラントを受信し得る。いくつかの態様では、図4に関連して上で説明されたように、複数のDAIグループの各々は、キャリアアグリゲーションのためにUEによって使用されるコンポーネントキャリアの異なるセットと関連付けられる。
【０１６０】
図13にさらに示されるように、いくつかの態様では、プロセス1300は、アップリンクグラントに含まれる複数の総DAIに少なくとも一部基づいて、複数のDAIグループのための肯定応答(ACK)または否定応答(NACK)(ACK/NACK)フィードバックを送信することを含み得る(ブロック1320)。たとえば、UEは(たとえば、コントローラ/プロセッサ280、送信プロセッサ264、TX MIMOプロセッサ266、MOD254、アンテナ252などを使用して)、アップリンクグラントに含まれる複数の総DAIに少なくとも一部基づいて、複数のDAIグループのためのACK/NACKフィードバックを送信し得る。
【０１６１】
プロセス1300は、以下で、および/または本明細書で説明される1つまたは複数の他のプロセスに関連して説明される、任意の単一の態様または態様の任意の組合せなどの、追加の態様を含み得る。
【０１６２】
いくつかの態様では、複数の総DAIは、アップリンクグラントの異なるフィールドにおいて示される。いくつかの態様では、アップリンクグラントは、アップリンク制御情報がそのアップリンクデータチャネルを介してピギーバックされるアップリンクデータチャネルに対するものであり得る。たとえば、アップリンクグラントはPUSCHに対するものであり得る。いくつかの態様では、ACK/NACKフィードバックは、アップリンクデータチャネル(たとえば、PUSCHなど)を介して送信される。このようにして、UEがPUSCHを介して異なるDAIグループのためのHARQ ACK/NACKフィードバックを送信すべきであるとき、アップリンクグラントは、異なるDAIグループのための総DAIを示してもよく、それにより、異なるDAIグループのためのHARQ ACK/NACKフィードバックに関する、UEと基地局との間での曖昧さを減らす、または除去する。
【０１６３】
図13は、プロセス1300の例示的なブロックを示すが、いくつかの態様では、プロセス1300は、図13に図示されるブロックと比べて、追加のブロック、より少ないブロック、異なるブロック、または異なるように配置されたブロックを含んでもよい。加えて、または代わりに、プロセス1300のブロックのうちの2つ以上が並列に実行されてよい。
【０１６４】
上記の開示は、例示および説明を提供するものであり、網羅的なものでも、または態様を開示された厳密な形態に限定するものでもない。上記の開示を考慮して修正および変形が可能であり、または、態様の実践から修正および変形が得られることがある。
【０１６５】
本明細書で使用される、構成要素という用語は、ハードウェア、ファームウェア、またはハードウェアとソフトウェアの組合せとして、広く解釈されるものとする。本明細書で使用される「プロセッサ」は、ハードウェア、ファームウェア、またはハードウェアとソフトウェアの組合せとして実装される。
【０１６６】
本明細書では、いくつかの態様は閾値に関して説明される。本明細書で使用される「閾値を満たすこと」は、値が、閾値よりも大きいこと、閾値以上であること、閾値未満であること、閾値以下であること、閾値に等しいこと、閾値に等しくないことなどを指すことがある。
【０１６７】
本明細書で説明されるシステムおよび/または方法は、様々な形態のハードウェア、ファームウェア、またはハードウェアとソフトウェアの組合せで実装されてよいことが明らかである。これらのシステムおよび/または方法を実装するために使用される実際の専用の制御ハードウェアまたはソフトウェアコードは、態様を限定するものではない。したがって、システムおよび/または方法の動作および挙動が、特定のソフトウェアコードを参照することなく本明細書で説明された。ソフトウェアおよびハードウェアは、本明細書での説明に少なくとも部分的に基づいてシステムおよび/または方法を実装するように設計され得ることを理解されたい。
【０１６８】
特徴の特定の組合せが特許請求の範囲において列挙され、かつ/または本明細書で開示されても、これらの組合せは、可能な態様の開示を限定するものではない。実際には、これらの特徴の多くが、特許請求の範囲において具体的に列挙されない方法で、および/または本明細書で開示されない方法で組み合わされてもよい。以下に列挙される各従属請求項は、1つだけの請求項に直接依存することがあるが、可能な態様の開示は、各従属請求項と請求項のセットの中の他のあらゆる請求項との組合せを含む。項目のリスト「のうちの少なくとも1つ」を指す句は、単一のメンバーを含むそれらの項目の任意の組合せを指す。例として、「a、b、またはcのうちの少なくとも1つ」は、a、b、c、a-b、a-c、b-c、およびa-b-c、ならびに複数の同じ要素による任意の組合せ(たとえば、a-a、a-a-a、a-a-b、a-a-c、a-b-b、a-c-c、b-b、b-b-b、b-b-c、c-c、およびc-c-c、または、a、b、およびcの任意の他の順序)を包含することが意図される。
【０１６９】
本明細書で使用される要素、行為、または命令はいずれも、そのように明示的に説明されない限り、重要または不可欠であるものと見なされるべきではない。また、本明細書で使用する冠詞「a」および「an」は、1つまたは複数の項目を含むものとし、「1つまたは複数の」と交換可能に使用されることがある。さらに、本明細書で使用する「セット」および「グループ」という用語は、1つまたは複数の項目(たとえば、関連する項目、関連しない項目、関連する項目と関連しない項目の組合せなど)を含むものとし、「1つまたは複数の」と交換可能に使用されてもよい。1つだけの項目が意図される場合、「1つの」という用語または同様の言葉が使用される。また、本明細書で使用する「有する(has)」、「有する(have)」、「有する(having)」などの用語は、非制限的な用語であるものとする。さらに、「に基づいて」という句は、別段に明記されていない限り、「に少なくとも部分的に基づいて」を意味するものとする。
【符号の説明】
【０１７０】
１００  ワイヤレスネットワーク/アクセスネットワーク
１０２ａ  マクロセル
１０２ｂ  ピコセル
１０２ｃ  フェムトセル
１１０  基地局
１１０ｄ  中継局
１２０  ＵＥ
１３０  ネットワークコントローラ
２１２  データソース
２２０  送信プロセッサ
２３０  送信(TX)多入力多出力(MIMO)プロセッサ
２３２  変調器
２３４  アンテナ
２３６  ＭＩＭＯ検出器
２３８  受信プロセッサ
２３９  データシンク
２４０  プロセッサ
２４２  メモリ
２４４  通信ユニット
２４６  スケジューラ
２５２  アンテナ
２５４  復調器
２５６  ＭＩＭＯ検出器
２５８  受信プロセッサ
２６０  データシンク
２６２  データソース
２６４  送信プロセッサ
２６６  ＭＩＭＯプロセッサ
２８０  プロセッサ
２８２  メモリ
２９０  プロセッサ
２９２  メモリ
２９４  通信ユニット
【図１】
2021505004.tif 000003
【図２】
2021505004.tif 000004
【図３】
2021505004.tif 000005
【図４】
2021505004.tif 000006
【図５】
2021505004.tif 000007
【図６】
2021505004.tif 000008
【図７】
2021505004.tif 000009
【図８】
2021505004.tif 000010
【図９】
2021505004.tif 000011
【図１０】
2021505004.tif 000012
【図１１】
2021505004.tif 000013
【図１２】
2021505004.tif 000014
【図１３】
2021505004.tif 000015
【国際調査報告】
2021505004.tif 000016
2021505004.tif 000017
2021505004.tif 000018